(57)【要約】本発明は、無線通信技術の分野に関し、そして、通信方法を提供する。本方法は、キャリアがアイドルであることを検出したときに、基地局によって、下り同期信号を送信するために使用される第１サブフレームを決定するステップを含み、ここで、下り同期信号は、一次同期信号および二次同期信号を含んでいる。そして、第１サブフレームにおけるサブフレーム番号および第１対応に基づいて、第１サブフレームにおいて、端末に対して下り同期信号を送信するステップを含む。対応して、端末は、同期信号の検出を実行し、そして、少なくとも第１サブフレームにおける二次同期信号の位置情報および第１対応に基づいて、フレームタイミングを実行する。このようにして、ＬＢＴメカニズムにおいて下り同期を実施することができる。
2019518394.tif 000002
【特許請求の範囲】
【請求項１】
通信方法であって、
キャリアがアイドルであることを検出したときに、基地局によって、下り同期信号を送信するための第１サブフレームを決定するステップであり、前記下り同期信号は、一次同期信号および二次同期信号を含んでいる、ステップと、
前記基地局によって、前記第１サブフレームにおける前記一次同期信号および前記二次同期信号の位置を決定するステップであり、前記二次同期信号の位置は、前記第１サブフレームのサブフレーム番号および第１対応に基づいて決定され、かつ、該第１対応は、サブフレーム番号とサブフレームにおける二次同期信号の位置との間の対応を含む、ステップと、
前記基地局によって、前記第１サブフレームにおける前記一次同期信号および前記二次同期信号の決定された位置に基づいて、前記第１サブフレームにおいて、端末に対して前記下り同期信号を送信するステップと、
を含む、方法。
【請求項２】
前記第１対応は、通信システムのタイプと関連付けされており、かつ、
前記方法は、さらに、
前記基地局によって、前記通信システムのタイプに基づいて、前記第１対応を決定するステップ、
を含む、請求項１に記載の方法。
【請求項３】
１つの無線フレームにおける全てのサブフレームは、少なくとも１つのセットを含み、かつ、各セットにおいてサブフレームにおける二次同期信号の位置が異なっている、
請求項１または２に記載の方法。
【請求項４】
各セットにおいてサブフレームにおける二次同期信号の位置が異なっていることは、
（ｋ−１）＊Ｎ／ｍからｋ＊Ｎ／ｍ−１までのサブフレーム番号を有するサブフレームにおける二次同期信号の位置は、相互に異なっており、
１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである、
請求項３に記載の方法。
【請求項５】
各サブフレームにおける前記一次同期信号の場所は、固定されている、
請求項１乃至４いずれか一項に記載の方法。
【請求項６】
１つの無線フレームにおける全てのサブフレームは少なくとも２つのセットを含み、
各セットにおいてサブフレームにおける二次同期信号の二次同期コードは同一であり、かつ、
異なるセットは、異なる二次同期コードに対応している、
請求項１乃至５いずれか一項に記載の方法。
【請求項７】
前記第１対応は、さらに、サブフレーム番号とサブフレームにおける一次同期信号との間の対応を含む、
請求項１乃至６いずれか一項に記載の方法。
【請求項８】
キャリアがアイドルであることを検出したときに、基地局によって、下り同期信号を送信するための第１サブフレームを決定する前記ステップは、
無許諾スペクトルリソースのキャリアがアイドルであることを検出したときに、基地局によって、前記無許諾スペクトルリソースにおいて、下り同期信号を送信するために使用される第１サブフレームを決定するステップ、を含む、
請求項１乃至７いずれか一項に記載の方法。
【請求項９】
前方法は、さらに、前記基地局によって、前記端末に共通のシグナリングを送信するステップを含み、
Ｔ個の同期ウィンドウにおいて下り同期信号を送信するためにキャリアを成功裡にプリエンプションする確率が事前設定された閾値より大きい場合に、前記共通信号および前記下り同期信号は、異なるサブフレームの中に存在しており、または、
Ｔ個の同期ウィンドウにおいて下り同期信号を送信するためにキャリアを成功裡にプリエンプションする確率が事前設定された閾値未満である場合に、前記共通信号および前記下り同期信号は、同一のサブフレームの中に存在しており、
Ｔは、より大きい自然数である、
請求項１乃至８いずれか一項に記載の方法。
【請求項１０】
通信方法であって、
基地局から、端末によって、データを受信するステップであり、該データは、一次同期信号および二次同期信号である、ステップと、
前記一次同期信号および前記二次同期信号を検出することにより、前記端末によって、第１サブフレームにおける前記二次同期信号の位置情報を取得するステップと、
前記第１サブフレームにおける前記二次同期信号の前記位置情報および第１対応に基づいて、前記端末によって、前記第１サブフレームのサブフレーム番号を決定するステップと、
を含む、方法。
【請求項１１】
１つの無線フレームにおける全てのサブフレームは、少なくとも１つのセットを含み、かつ、
各セットにおいてサブフレームにおける二次同期信号の位置が異なっている、
請求項１０に記載の方法。
【請求項１２】
各セットにおいてサブフレームにおける二次同期信号の位置が異なっていることは、
（ｋ−１）＊Ｎ／ｍからｋ＊Ｎ／ｍ−１までのサブフレーム番号を有するサブフレームにおける二次同期信号の位置が、相互に異なっており、
前記１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである、
請求項１１に記載の方法。
【請求項１３】
各サブフレームにおける前記一次同期信号の位置は、固定されている、
請求項１０乃至１２いずれか一項に記載の方法。
【請求項１４】
１つの無線フレームにおける全てのサブフレームは、少なくとも２つのセットを含み、
各セットにおけるサブフレームにおける二次同期信号の二次同期コードは、同一であり、
異なるセットは、異なるセットに対応する、
請求項１０乃至１３いずれか一項に記載の方法。
【請求項１５】
前記第１サブフレームにおける前記二次同期信号の前記位置情報および第１対応に基づいて、前記第１サブフレームのサブフレーム番号を決定するステップは、
前記第１サブフレームにおける二次同期信号の位置情報、第１対応、および二次同期コードに基づいて、前記第１サブフレームのサブフレーム番号を決定するステップ、を含む、
請求項１４に記載の方法。
【請求項１６】
前記第１サブフレームにおける前記二次同期信号の位置情報は、前記第１サブフレームにおける前記二次同期信号の位置、または、前記第１サブフレームにおける前記二次同期信号との間の位置関係を含む、
請求項１５に記載の方法。
【請求項１７】
前記第１対応は、さらに、サブフレーム番号とサブフレームにおける一次同期信号の位置との間の対応を含む、
請求項１０乃至１６いずれか一項に記載の方法。
【請求項１８】
前記第１サブフレームにおける前記二次同期信号の前記位置情報および第１対応に基づいて、前記端末によって、前記第１サブフレームのサブフレーム番号を決定するステップは、
前記第１サブフレームにおける前記一次同期信号と前記二次同期信号との間の位置関係、サブフレーム番号とサブフレームにおける一次同期信号の位置との間の対応、および、サブフレーム番号とサブフレームにおける二次同期信号の位置との間の対応に基づいて、前記端末によって、前記第１サブフレームの前記サブフレーム番号を決定するステップ、を含む、
請求項１７に記載の方法。
【請求項１９】
前記方法は、さらに、
前記第１サブフレームにおける前記一次同期信号と前記二次同期信号との間の位置関係、または、前記第１サブフレームにおける前記二次同期信号の位置に基づいて、前記端末によって、通信システムのタイプを決定するステップ、
を含む、請求項１０乃至１８いずれか一項に記載の方法。
【請求項２０】
基地局であって、
プロセッサであり、キャリアがアイドルであることを検出したときに、下り同期信号を送信するための第１サブフレームを決定するように構成されており、前記下り同期信号は、一次同期信号および二次同期信号を含んでいる、プロセッサと、
前記プロセッサは、さらに、前記第１サブフレームにおける前記一次同期信号および前記二次同期信号の位置を決定するように構成されており、前記二次同期信号の位置は、前記第１サブフレームのサブフレーム番号および第１対応に基づいて決定され、かつ、該第１対応は、サブフレーム番号とサブフレームにおける二次同期信号の位置との間の対応を含む、プロセッサと、
送信機であり、前記第１サブフレームにおける前記一次同期信号および前記二次同期信号の、前記プロセッサによって決定された、位置に基づいて、前記第１サブフレームにおいて、端末に対して前記一次同期信号および前記二次同期信号を送信する、送信機と、
を含む、基地局。
【請求項２１】
前記プロセッサは、さらに、
通信システムのタイプに基づいて、前記第１対応を決定する、ように構成されている、
請求項２０に記載の基地局。
【請求項２２】
１つの無線フレームにおける全てのサブフレームは、少なくとも１つのセットを含み、かつ、
各セットにおいてサブフレームにおける二次同期信号の位置が異なっている、
請求項２０または２１に記載の基地局。
【請求項２３】
各セットにおいてサブフレームにおける二次同期信号の位置が異なっていることは、
（ｋ−１）＊Ｎ／ｍから（ｋ−１）＊Ｎ／ｍ−１までのサブフレーム番号を有するサブフレームにおける二次同期信号の位置が、相互に異なっており、
１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである、
請求項２２に記載の基地局。
【請求項２４】
各サブフレームにおける前記一次同期信号の位置は、固定されている、
請求項２０乃至２３いずれか一項に記載の基地局。
【請求項２５】
１つの無線フレームの中の全てのサブフレームは、少なくとも２つのセットを含み、
各セットにおけるサブフレームの中の二次同期信号の二次同期コードは同一であり、かつ、
異なるセットは、異なる二次同期コードに対応している、
請求項２０乃至２４いずれか一項に記載の基地局。
【請求項２６】
前記プロセッサは、特定的に、
無許諾スペクトルリソースのキャリアがアイドルであることを検出するとき、前記無許諾スペクトルリソースにおいて、前記下り同期信号を送信するために使用される前記第１サブフレームを決定する、ように構成されている、
請求項２０乃至２５いずれか一項に記載の基地局。
【請求項２７】
前記送信機は、さらに、前記端末に対して共通信号を送信するように構成されており、
Ｔ個の同期ウィンドウにおいて下り同期信号を送信するためにキャリアを成功裡にプリエンプションする確率が、事前設定された閾値よりも大きい場合に、前記共通信号および前記下り同期信号は、異なるサブフレームの中に存在しており、または、
Ｔ個の同期ウィンドウにおいて下り同期信号を送信するためにキャリアを成功裡にプリエンプションする確率が、事前設定された閾値よりも小さい場合に、前記共通信号および前記下り同期信号は、同一のサブフレームの中に存在しており、
Ｔは、１より大きい自然数である、
請求項２０乃至２６いずれか一項に記載の基地局。
【請求項２８】
前記第１対応は、さらに、サブフレーム番号と、サブフレームにおける一次同期信号の位置との間の対応を含んでいる、
請求項２０乃至２７いずれか一項に記載の基地局。
【請求項２９】
端末であって、
基地局からデータを受信するように構成されている受信機であり、前記データは、一次同期信号および二次同期信号を含む、受信器と、
プロセッサであり、一次同期信号および二次同期信号を検出することによって第１サブフレームにおける二次同期信号の位置情報を取得するよう、かつ、該第１サブフレームにおける該二次同期信号の位置情報および第１対応に基づいて、前記第１サブフレームのサブフレーム番号を決定する、ように構成されている、プロセッサと、を含み、
前記第１対応は、サブフレーム番号とサブフレームにおける二次同期信号の位置との間の対応を含む、
端末。
【請求項３０】
前記第１対応は、さらに、サブフレーム番号とサブフレームにおける一次同期信号の位置との間の対応を含む、
請求項２９に記載の端末。
【請求項３１】
前記プロセッサは、特に、前記第１サブフレームにおける前記二次同期信号の位置および前記第１対応に基づいて、前記第１サブフレームの前記サブフレーム番号を決定するように構成されている、
請求項２９または３０に記載の端末。
【請求項３２】
前記プロセッサは、特に、
前記第１サブフレームにおける前記一次同期信号と前記二次同期信号との間の位置関係、サブフレーム番号とサブフレームにおける一次同期信号の位置との間の前記対応、および、サブフレーム番号とサブフレームにおける二次同期信号の位置との間の前記対応に基づいて、前記第１サブフレームの前記サブフレーム番号を決定するように構成されている、
請求項３０に記載の端末。
【請求項３３】
１つの無線フレームにおける全てのサブフレームは、少なくとも１つのセットを含み、かつ、
各セットにおいてサブフレームにおける二次同期信号の位置が異なっている、
請求項２９乃至３２いずれか一項に記載の端末。
【請求項３４】
各セットにおいてサブフレームにおける二次同期信号の位置が異なっていることは、
（ｋ−１）＊Ｎ／ｍから（ｋ−１）＊Ｎ／ｍ−１までのサブフレーム番号を有するサブフレームにおける二次同期信号の位置が、相互に異なっており、
１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである、
請求項３３に記載の端末。
【請求項３５】
各サブフレームにおける前記一次同期信号の位置は、固定されている、
請求項２９乃至３４いずれか一項に記載の端末。
【請求項３６】
１つの無線フレームの中の全てのサブフレームは、少なくとも２つのセットを含み、
各セットにおけるサブフレームの中の二次同期信号の二次同期コードは同一であり、かつ、
異なるセットは、異なる二次同期コードに対応している、
請求項２９乃至３５いずれか一項に記載の端末。
【請求項３７】
前記プロセッサは、特定的に、
前記第１サブフレームにおける二次同期信号の前記位置情報、前記第１対応、および、前記二次同期コードに基づいて、前記第１サブフレームの前記サブフレーム番号を決定するように構成されている、
請求項３６に記載の端末。
【請求項３８】
前記プロセッサは、さらに、
前記一次同期信号と前記二次同期信号との間の位置関係、または、前記第１サブフレームにおける前記二次同期信号の位置との間の関係に基づいて、通信システムのタイプを決定するように構成されている、
請求項２９乃至３７いずれか一項に記載の端末。
【発明の詳細な説明】
【技術分野】
【０００１】
本発明は、無線通信技術に関する。そして、特には、通信方法および装置に関する。
【背景技術】
【０００２】
スペクトルは無線通信の基礎である。米国連邦通信委員会（Federal  Communications  Commission、略してＦＣＣ）によってリリースされた最新の国際スペクトル白書に従って、無償許諾（licensing-free）または無許諾（unlicensed）のスペクトルリソースは、承認または許諾（licensed）されたスペクトルリソースより多い。無線通信システムおよびオペレータによる無許諾スペクトルリソースの使用に対する制約は存在しない。従って、複数の通信システムの複数の事業者が同じスペクトルを占有したい場合が存在する。無許諾スペクトルリソースの使用について異なる無線通信システムのための公平性を実現するために、いくつかの地域においては、無許諾スペクトルリソースを使用する場合に、無線通信装置は特定の規則に従う必要がある。例えば、欧州通信規格協会（European  Telecommunications  Standards  Institute、略してＥＴＳＩ）によってリリースされたETSI  EN  301  893におけるリスンビフォアトーク（listen  before  talk、略してＬＢＴ）またはチャネル帯域幅占有要件といったメカニズムである。ETSI  EN  301  893の規定に従って、無線通信装置は、無許諾スペクトルリソースを占有する場合にＬＢＴメカニズムを使用する必要がある。具体的には、チャネルを使用する前に、装置は、最初にチャネルがアイドル又は使用可能であるか否かをモニタし、そして、チャネルがアイドル又は使用可能である場合に、装置は無許諾スペクトルリソースを使用することができる。
【０００３】
技術の発展と共に、無許諾スペクトルリソースについて、ＬＢＴメカニズムの導入は、一次同期信号（primary  synchronization  signal、ＰＳＳ）および二次同期信号（secondary  synchronization  signal、ＳＳＳ）といった信号が、固定された絶対時間において端末に対する基地局機能を有している装置から送信され得ないという結果を生じる。その結果として、下り同期（downlink  synchronization）が影響を受け、そして、端末が、基地局機能を有している装置と同期できなくなる。
【発明の概要】
【０００４】
この出願は、通信方法および装置を説明する。
【０００５】
一つの態様に従って、この出願申請の一つの実施形態は、通信方法を提供する。本通信方法は、キャリアがアイドルであることを検出したときに、基地局によって、下り同期信号を送信するための第１サブフレームを決定するステップであり、ここで、下り同期信号は、一次同期信号および二次同期信号を含んでいる、ステップと、基地局によって、第１サブフレームにおける一次同期信号および二次同期信号の位置を決定するステップであり、ここで、二次同期信号の位置は、第１サブフレームのサブフレーム番号および第１対応に基づいて決定される、ステップと、基地局によって、第１サブフレームにおける一次同期信号および二次同期信号の決定された位置に基づいて、第１サブフレームにおいて、端末に対して下り同期信号を送信するステップであり、ここで、第１対応は、サブフレーム番号とサブフレームにおける二次同期信号の位置との間の対応を含む、ステップと、を含む。この実施形態で提供されるソリューションを使用して、基地局は、サブフレーム番号および第１対応に基づいて、下り同期信号を送信する。従って、端末は、同期信号を検出することにより、そして、比較的便利で容易な方法で、同期信号が配置されているサブフレームのサブフレーム番号を取得することができ、そして、それによって下り同期を実施することができる。
【０００６】
一つの可能なデザインにおいて、第１対応は、通信システムのタイプと関連付けされている。
【０００７】
一つの可能なデザインにおいて、１つの無線フレームにおける全てのサブフレームは、少なくとも１つのセットを含み、かつ、各セットにおいてサブフレームにおける二次同期信号の位置が異なっている。
【０００８】
一つの可能なデザインにおいて、（ｋ−１）＊Ｎ／ｍからｋ＊Ｎ／ｍ−１までのサブフレーム番号を有するサブフレームにおける二次同期信号の位置が相互に異なっており、ここで、１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである。
【０００９】
一つの可能なデザインにおいて、サブフレームにおける一次同期信号の場所は、固定されている。具体的に、サブフレームにおける一次同期信号の位置は、１つの通信システムにおいて固定されているが、異なる通信システム間では変わり得る。
【００１０】
一つの可能なデザインにおいて、一次同期信号は、サブフレームにおける第１タイムスロットの最後のシンボルを占有する。このようにして、プロトコルに対する変更を最小化するために、既存のプロトコルのＰＳＳ送信方式が使用され得る。
【００１１】
一つの可能なデザインにおいて、ｍ＞１であり、１つのセットにおいてサブフレームにおける二次同期信号の二次同期コードは同一であり、そして、異なるセットは、異なる二次同期コードに対応している。例えば、ｍ＝２である。この場合には、二次同期コードの現在のデザイン方式を最大化された方法で引き継ぐことができ、そして、同期信号パターンのデザイン複雑度も、また、低減され得る。
【００１２】
一つの可能なデザインにおいて、共通信号（common  signaling）が送信される方法は、キャリアプリエンプションステータス（carrier  preemption  status）に基づいて決定され得る。例えば、キャリアプリエンプションが比較的に容易（easy）であるとき、ＰＳＳ／ＳＳＳおよび共通信号は、異なるサブフレームにおいて送信されてよい。そして、キャリアプリエンプションが難しい（difficult）とき、ＰＳＳ／ＳＳＳおよび共通信号は、一緒にパケット化されて、１つのサブフレームにおいて送信されてよい。共通信号は、これらに限定されるわけではないが、ＰＢＣＨおよびＳＩＢを含んでいる。このようにして、信号は、よりフレキシブルな方法で送信され得る。
【００１３】
具体的に、キャリアプリエンプションが容易であるか難しいかは、複数の方法で判断することができる。例えば、Ｔ個の同期ウィンドウにおいて同期信号を送信するためにキャリアを成功裡にプリエンプションする確率について、統計が収集され得る。確率が事前設定された閾値よりも大きい場合に、キャリアプリエンプションは、比較的に容易であると考えられてよい。確率が事前設定された閾値より小さい場合に、キャリアプリエンプションは、比較的に難しいものと考えられてよい。
【００１４】
一つの可能なデザインにおいて、前述のスキームは、無許諾周波数帯域に対して、特には、無承諾のスタンドアロンシナリオに対して適用され得る。
【００１５】
別の態様に従って、この出願申請の一つの実施態様は、通信方法を提供する。本通信方法は、基地局から、端末によって、データを受信するステップであり、ここで、データは、一次同期信号および二次同期信号である、ステップと、一次同期信号および二次同期信号を検出することにより、端末によって、第１サブフレームにおける二次同期信号の位置情報を取得するステップと、第１サブフレームにおける二次同期信号の位置情報および第１対応に基づいて、第１サブフレームのサブフレーム番号を決定するステップであり、ここで、第１対応は、サブフレーム番号とサブフレームにおける二次同期信号の位置との間の対応を含む、ステップと、を含む。前述の方法に従って、異なるサブフレームは、サブフレームにおけるＰＳＳ／ＳＳＳ間の位置関係、または、サブフレームにおけるＳＳＳの位置に基づいて区別される。これは、暗黙的な指示方法である。このようにして、検出メカニズムにおいて、端末が基地局機能を有する装置と同期できないという問題は、効果的に解決され、そして、追加的なリソースが占有される必要はない。
【００１６】
一つの可能なデザインにおいて、端末は、第１サブフレームにおける一次同期信号と二次同期信号との間の位置情報および第１対応に基づいて、第１サブフレームのサブフレーム番号を決定する。
【００１７】
一つの可能なデザインにおいて、端末は、第１サブフレームにおける二次同期信号の位置情報および第１対応に基づいて、第１サブフレームのサブフレーム番号を決定する。
【００１８】
一つの可能なデザインにおいて、１つの無線フレームにおける全てのサブフレームは、少なくとも１つのセットを含み、かつ、各セットにおいてサブフレームにおける二次同期信号の位置が異なっている。
【００１９】
一つの可能なデザインにおいて、（ｋ−１）＊Ｎ／ｍからｋ＊Ｎ／ｍ−１までのサブフレーム番号を有するサブフレームにおける二次同期信号の位置が相互に異なっており、ここで、１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである。
【００２０】
一つの可能なデザインにおいて、サブフレームにおける一次同期信号の場所は、固定されている。具体的に、サブフレームにおける一次同期信号の位置は、１つの通信システムにおいて固定されているが、異なる通信システム間では変わり得る。
【００２１】
一つの可能なデザインにおいて、第１サブフレームにおける二次同期信号の位置情報は、第１サブフレームにおける二次同期信号の位置、または、第１サブフレームにおける一次同期信号と二次同期信号との間の位置関係を含む。
【００２２】
一つの可能なデザインにおいて、前述のスキームは、無許諾周波数帯域に対して、特には、無承諾のスタンドアロンシナリオに対して適用され得る。
【００２３】
一つの可能なデザインにおいて、第１対応は、さらに、サブフレーム番号とサブフレームにおける一次同期信号の位置との間の対応を含む。
【００２４】
一つの可能なデザインにおいて、端末は、第１サブフレームにおける一次同期信号と二次同期信号との間の位置関係、サブフレーム番号とサブフレームにおける一次同期信号の位置との間の対応、および、サブフレーム番号とサブフレームにおける二次同期信号の位置との間の対応に基づいて、第１サブフレームのサブフレーム番号を決定する。
【００２５】
一つの可能なデザインにおいて、端末は、第１サブフレームにおける一次同期信号と二次同期信号との間の位置関係、または、第１サブフレームにおける二次同期信号の位置に基づいて、通信システムのタイプを決定する。
【００２６】
別の態様に従って、本発明の一つの実施態様は、通信方法を提供する。本方法は、検出を通じて基地局によって、アイドルであるキャリアを検出するステップと、基地局によって、アイドルキャリア上でデータを送信するステップと、を含む。ここで、データは、サービスデータおよび同期信号を含み、同期信号は、サービスデータの前のシンボルにおいて送信され、サービスデータは同期信号の後に密接に続いており、そして、サービスデータのスタートサブフレーム（start  subframe）は無線フレームの第１サブフレームである。上述の方法に従って、地局側では、バースト送信に基づいて、無線フレームのスタートポイントが再定義される(re-defined)。具体的には、バーストに基づいて、サブフレーム番号が再定義され、そして、各バーストの前に同期信号が付加される。そうして、端末は、フレームタイミング、すなわち、下り同期を比較的容易に実施することができる。
【００２７】
別の態様に従って、本発明の一つの実施態様は、通信方法を提供する。本方法は、端末によって、基地局によって送信された前述のデータを受信するステップと、端末によって、同期信号を検出するステップと、同期信号の後に密接に続くサブフレームを無線フレームの第１サブフレームとして決定するステップと、を含む。前述のプロセスにおいて、端末は、受信データについて同期信号の検出を実行する。同期信号が検出されると、フレーム境界が見つけられ、そして、フレームタイミング、すなわち下り同期、が実施される。下り同期方法のアルゴリズムは簡潔である。
【００２８】
別の態様に従って、本発明の一つの実施態様は、基地局を提供する。本基地局は、上述の方法デザインにおける基地局の振る舞いを実行する機能を有している。機能は、ハードウェアによって実施されてよく、または、ハードウェアにより対応するソフトウェアを実行することによって実施されてよい。ハードウェアまたはソフトウェアは、前述の機能に対応している１つまたはそれ以上のモジュールを含む。
【００２９】
一つの可能なデザインにおいて、基地局の構造は、プロセッサおよび送信機を含む。プロセッサは、前述の方法における対応する機能を実行する際に基地局をサポートするように構成されている。送信機は、基地局と端末との間の通信をサポートし、かつ、前述の方法における情報またはインストラクションを端末に対して送信するように構成されている。基地局は、さらに、メモリを含んでよい。メモリは、プロセッサに対して結合されるように構成されており、かつ、基地局のために必要なプログラムインストラクションおよびデータを保管する。
【００３０】
別の態様に従って、本発明の一つの実施態様は、端末を提供する。本端末は、前述の方法デザインにおける端末の振る舞いを実行する機能を有している。機能は、ハードウェアによって実施されてよい。端末の構造は、受信機およびプロセッサを含む。代替的に、機能は、ハードウェアにより対応するソフトウェアを実行することによって実施されてよい。ハードウェアまたはソフトウェアは、前述の機能に対応する１つまたはそれ以上のモジュールを含む。モジュールは、ソフトウェア及び／又はハードウェアであり得る。
【００３１】
別の態様に従って、本発明の一つの実施態様は、通信システムを提供する。本システムは、前述の態様における基地局および端末を含む。
【００３２】
さらに別の態様に従って、本発明の一つの実施態様は、コンピュータ記憶媒体を提供する。前述の基地局によって使用されるコンピュータのソフトウェアインストラクションを保管するように構成されているものである。
【００３３】
さらに別の態様に従って、本発明の一つの実施態様は、コンピュータ記憶媒体を提供する。前述の端末によって使用されるコンピュータのソフトウェアインストラクションを保管するように構成されているものである。コンピュータのソフトウェアインストラクションは、前述の態様を実行するためにデザインされたプログラムを含んでいる。
【図面の簡単な説明】
【００３４】
本発明の実施形態をより明確に説明するために、以下では、実施形態を説明するために必要な添付図面を簡単に説明する。明らかに、以下の説明における添付の図面は、本発明のいくつかの実施形態を示すだけであり、そして、当業者は、創造的な努力なしにこれらの添付の図面から他の図面を導き出すことができる。
【図１】図１は、本発明の一つの実施形態に従った、通信システムの構成の概略図である。
【図２】図２は、本発明の一つの実施形態に従った、通信システムがスタンドアロン方式で無許諾周波数帯域において動作するシナリオの概略図である。
【図３】図３は、本発明の一つの実施形態に従った、通信方法の模式的なフローチャートである。
【図４】図４は、本発明の一つの実施形態に従った、ＣＣＡプロセスの概略図である。
【図５】図５は、本発明の一つの実施形態に従った、同期信号送信のための、同期ウィンドウを使用することによる、プリエンプションの概略図である。
【図６】図６は、本発明の一つの実施形態に従った、無線フレーム（radio  frame）の模式的な構造図である。
【図７】図７は、本発明の一つの実施形態に従った、一次同期信号および二次同期信号のシンボル位置に係る概略図である。
【図８】図８は、本発明の一つの実施形態に従った、一次同期信号および二次同期信号のシンボル位置に係る別の概略図である。
【図９】図９は、本発明の別の実施形態に従った、通信方法の模式的なフローチャートである。
【図１０】図１０は、本発明の一つの実施形態に従った、同期信号とサービスデータとの間の位置関係の概略図である。
【図１１】図１１は、本発明の一つの実施形態に従った、基地局の模式的な構造図である。
【図１２】図１２は、本発明の一つの実施形態に従った、端末の模式的な構造図である。
【発明を実施するための形態】
【００３５】
以下に、本発明の実施形態における添付の図面を参照して、本発明の実施形態における技術的ソリューションを明確かつ完全に説明する。
【００３６】
図１は、本発明の実施形態における技術的ソリューションを使用することができる無線通信システムの概略図である。
【００３７】
この実施形態におけるソリューションにおいて、図１の通信システムは、少なくとも１つの基地局（基地局、ＢＳ）および複数の端末を含んでいる。
【００３８】
通信システムは、様々な無線アクセス技術（radio  access  technology、ＲＡＴ）システムであってよい。例えば、符号分割多元接続（code  division  multiple  access、ＣＤＭＡ）システム、時分割多元接続（time  division  multiple  access、ＴＤＭＡ）システム、周波数分割多元接続（frequency  division  multiple  access、ＦＤＭＡ）システム、直交周波数分割多元接続（orthogonal  frequency  division  multiple  access、ＯＦＤＭＡ）システム、シングルキャリア周波数分割多元接続（single  carrier  FDMA、ＳＣ−ＦＤＭＡ）システム、または別のシステムである。用語「システム（”system”）」および「ネットワーク（”network”）」は、相互に交換されてよい。ＯＦＤＭＡシステムは、進化型ユニバーサル地上無線アクセス（evolved  UTRA、Ｅ−ＵＴＲＡ）、ウルトラモバイルブロードバンド（Ultra  Mobile  Broadband、ＵＭＢ）、IEEE  802.11（Ｗｉ−Ｆｉ）、IEEE  802.16（ＷｉＭＡＸ）、IEEE  802.20、またはフラッシュＯＦＤＭＡといった無線技術を実装することができる。加えて、通信システムは、また、将来性ある（future-proofed）通信技術に対しても適用することができる。新たな通信技術を使用する通信システムが、この出願の背景技術において言及された下り同期問題と同様なシナリオに直面しているという条件で、本発明の実施形態において提供される技術的ソリューションが適用可能である。本発明の実施形態において説明されるシステムアーキテクチャおよびサービスシナリオは、本発明の実施形態における技術的ソリューションをより明確に説明するように意図されたものであり、そして、本発明の実施形態において提供される技術的ソリューションについていかなる限定も構成しない。当業者であれば、ネットワークアーキテクチャの進化および新しいサービスシナリオの出現と共に、本発明の実施形態において提供される技術的ソリューションは、また、同様な技術的問題にも適用可能であることを理解するだろう。特定的に、本発明のこの実施形態における通信システムは、例えば、ロングタームエボリューション（Long  Term  Evolution、ＬＴＥ）システム、または、ＬＴＥに基づく様々な先進システムであってよい。
【００３９】
本発明のこの実施形態において言及される基地局は、端末に無線通信機能を提供するように構成された装置であり、そして、無線アクセスネットワークにおいて配置されている。基地局は、マクロ基地局、マイクロ基地局（スモールセルとしても参照されるもの）、中継局、アクセスポイント、等の様々な形態を含み得る。異なる無線アクセス技術を使用するシステムにおいては、基地局機能を有しているデバイスの名称が異なることがある。例えば、ＬＴＥシステムにおいて、基地局機能を有しているデバイスは、ｅｖｏｌｖｅｄ  ＮｏｄｅＢ（evolved  NodeB、ｅＮＢ、またはｅＮｏｄｅＢ）として参照される。説明を容易にするために、端末に無線通信機能を提供するように構成された前述の全ての装置は、本発明の全ての実施形態において集合的に基地局として参照されている。
【００４０】
本発明のこの実施形態における端末は、無線通信機能を有する様々な、ハンドヘルドデバイス、車載デバイス、ウェアラブルデバイス、およびコンピューティングデバイス、または、無線モデムに対して接続された別の処理装置を含み得る。端末は、また、移動局（mobile  station、略してＭＳ）、ユーザ機器（user  equipment）、または端末機器（terminal  equipment）として参照されてもよく、そして、加入者ユニット（subscriber  unit）、携帯電話（cellular  phone）、スマートフォン（smart  phone）、無線データカード、パーソナルデジタルアシスタント（personal  digital  assistant、ＰＤＡ）コンピュータ、タブレットコンピュータ、ワイヤレスモデム（modem）、ハンドヘルドデバイス（handheld）、ラップトップコンピュータ（laptop  computer）、コードレス電話（cordless  phone）または無線ローカルループ（wireless  local  loop、ＷＬＬ）局、マシンタイプコミュニケーション（machine  type  communication、ＭＴＣ）端末、等をさら含み得る。説明を容易にするために、本発明の全ての実施形態において、前述の全てのデバイスは、集合的に端末として参照されている。
【００４１】
図１に示される通信システムの中に含まれる端末の数およびタイプは、単に実施例に過ぎず、そして、本発明の実施形態はこれに限定されるものではないことに留意する。
【００４２】
前述の通信システムは、無許諾および許諾スペクトルリソースの両方を使用することができる。許諾（licensed）スペクトルリソースは、許諾された後にだけ使用することができる無線周波数帯である。無許諾（unlicensed）スペクトルリソースは、許諾されることなく使用できる無線周波数帯域である。多くの国においては、９００ＭＨｚ周波数帯域、２．４ＧＨｚ周波数帯域、および５ＧＨｚ周波数帯域のスペクトルが、無許諾使用のために割り当てられてきている。説明を容易にするために、以降では、無許諾スペクトルリソースは、簡潔に無許諾周波数帯域として参照され、そして、許諾スペクトルリソースは、簡潔に許諾周波数帯域として参照される。ここにおける無許諾周波数帯域の使用は、これらに限定されるわけではないが、通信システムが無許諾周波数帯域においてスタンドアロン方式（無許諾スタンドアロン）で動作するシナリオ、および、許諾支援（licensed-assisted）アクセスシナリオを含んでいる。
【００４３】
前述の通信システムが許諾周波数帯域を使用しているか、無許諾周波数帯域を使用しているかにかかわらず、キャリア（carrier）の状態が検出を通じて判断された後にデータを送信するか否かが判断されることを要するときには、固定の絶対時間において、ＰＳＳおよびＳＳＳといった信号が、基地局機能を有しているデバイスから端末へ送信されなくてよい。その結果として、下り同期が影響を受け、そして、端末は、基地局機能を有しているデバイスと同期することができない。この問題は、通信システムがスタンドアロン方法で無許諾周波数帯域において動作するシナリオにおいて特に顕著であることが理解されよう。通信システムがスタンドアロン方式で無許諾周波数帯域において動作するシナリオが、図２に示されている。このシナリオにおいて、基地局２０１は、無許諾周波数帯域の周波数Ｆ１において、双方向リンク２００を使用することによって端末２０２に対して通信信号を送信し、そして、双方向リンク２００を使用することによって端末２０２から通信信号を受信することができる。
【００４４】
本発明の一つの実施形態は、通信方法を提供する。本通信方法は、前述の技術的問題を解決するために、下り同期信号を送信する技術的ソリューションを提案している。
【００４５】
本発明のこの実施形態において言及される下り同期信号はＰＳＳおよびＳＳＳを含むことに留意すべきである。例えば、３ＧＰＰプロトコルにおいては、３つのＰＳＳシーケンスが定義されている。各ＰＳＳシーケンスは、セルの物理的グループ内識別情報（intra-group  identity）に対応している。ＳＳＳシーケンスは、２つの３１ビットバイナリシーケンスをインターリーブすることによって生成されたシーケンスである。生成されたシーケンスは、次いで、スクランブリングシーケンス（scrambling  sequence）によってスクランブルされる。スクランブルシーケンスは、一次同期信号のセクタ番号に依存している。２つの３１ビットのシーケンスを直列に接続したことによって得られるシーケンスにおいては、０番サブフレームと５番サブフレームにおけるシーケンスが異なっている。前述のＰＳＳシーケンスおよびＳＳＳシーケンスは、また、一次同期コードおよび二次同期コードとしても参照されてよい。ＰＳＳおよびＳＳＳの具体的な説明については、3GPP  TS  36.211および3GPP  TS  36.212における関連する説明をさらに参照すること。そして、本発明のこの実施形態において、詳細は説明されていない。しかしながら、本発明のこの実施形態において言及されるＰＳＳおよびＳＳＳは、現在のプロトコルにおいて規定されている形態に限定されるものではない。
【００４６】
具体的には、図３は、本発明の一つの実施形態に従った、通信方法の模式的なフローチャートである。
【００４７】
３０１：キャリアがアイドルであることを検出すると、基地局は、下り同期信号を送信するために使用される第１サブフレームを決定する。
【００４８】
本発明のこの実施形態においては、下り同期信号を送信するために使用される第１サブフレームを決定する前に、基地局は、最初に、無許諾周波数帯域または許諾周波数帯域におけるキャリアの状態を検出することが理解されるだろう。キャリアのステータスは、占有（occupied）またはアイドルである。
【００４９】
具体的には、キャリア状態検出は、クリアチャネル評価（clear  channel  assessment、略してＣＣＡ）の方法で実施され得る。図４は、大まかなＣＣＡプロセスを示している。データ送信が検出されるとき、キャリアは占有されていると見なされ、そして、データ送信が検出されないとき、キャリアはアイドルであると見なされる。前述したキャリアは、信号を送信するために使用される搬送波（carrier  wave）であり、そして、いくつかの通信システムにおいてはチャネルとしても参照され得ることに留意すべきである。
【００５０】
具体的には、検出は、複数のスキームを使用することによって実施され得る。例えば、以下のとおりである。
【００５１】
１．エネルギー検出：
具体的には、基地局がデータを送信する必要があるとき、基地局は、キャリアのエネルギーレベルを検出し得る。エネルギーが閾値を超えると判断する場合に、基地局は、キャリアは占有されていると見なし、そして、キャリア上でデータを送信することができない。逆に、エネルギーが閾値より低いと判断する場合に、基地局は、キャリアがアイドルであると見なし、そして、キャリア上でデータを送信することができる。
【００５２】
２．仮想キャリアモニタリング：
基地局は、送信フレームフォーマットにおいてチャネル占有時間を示している。他のデバイスは、基地局のチャネル占有時間を学習した後でバックオフ（backs  off）する。例えば、各802.11無線フレームのフレームヘッダは、持続時間（Duration）フィールドを含み、フレームを送信するために必要とされる時間を示している。フレームを受信した後で、他の全てのサイトは、持続時間フィールドに基づいてネットワーク割り当てベクトル（network  allocation  vector、略してＮＡＶ）を更新する。他のサイトは、ＮＡＶが終了する前にはデータを送信しない。
【００５３】
キャリア状態の検出は、当業者がよく知っている複数の技術的アプローチを使用することによって実行され得ることに留意すべきである。このことは、本発明のこの実施形態において限定されない。
【００５４】
特定の時間において、無許諾または許諾周波数帯域が利用可能であると判断するとき、基地局は、下り同期信号を送信するために、無許諾または許諾周波数帯域を占有することができる。すなわち、無許諾または許諾周波数帯のサブフレームを使用することによって下り同期信号を送信する。
【００５５】
さらに、基地局に対するオーバーヘッドの節約、及び／又は、端末に対する電力の節約といった要因を考慮して、事前設定された時間長を有するウィンドウを使用することができ、下り同期信号を送信するために使用され、かつ、無許諾または許諾周波数帯におけるサブフレームを決定する。説明を容易にするために、事前設定された時間長を有するウィンドウは、同期ウィンドウとして参照され得る。同期ウィンドウの時間長は、実際の要求に基づいて設定されてよく、そして、例えば、１０ｍｓであってよい。加えて、同期ウィンドウは周期的であり得る。同期ウィンドウの期間は、実際の要件に基づいて設定されてよく、例えば、４０ｍｓであってよい。このことは、本発明のこの実施形態において限定されない。図５に示されるように、同期ウィンドウが到着したときに、基地局が、無許諾周波数帯域においてキャリアが利用可能であると判断する場合、基地局は、図５におけるＡによって示されるように、ウィンドウの任意のサブフレームにおいて同期信号を送信することができる。基地局が、キャリアは同期ウィンドウ全体の中でビジー（busy）であると判断する場合、図５におけるＢによって示されるように、下り同期信号を同期ウィンドウ内で送信することはできない。同期ウィンドウが到着したときに、基地局が、キャリアがビジー状態であることを見つけたが、同期ウィンドウにおける一つの位置において、キャリアがアイドルであることを見つけた場合、基地局は、図５のＣによって示されるように、任意のアイドルサブフレームにおいて下り同期信号を送信することができる。
【００５６】
前述の、最初にキャリア状態を検出し、そして、次いで、下り同期信号を送信するために使用される第１サブフレームを決定する方法は、ＬＢＴとして理解され得ることが理解されよう。
【００５７】
３０２：基地局は、第１サブフレームにおいて一次同期信号および二次同期信号の位置を決定する。
【００５８】
ＬＴＥシステムまたはＬＴＥに基づくアドバンスシステムにおいて、１無線フレーム（one  radio  frame）は１０ミリ秒の長さであり、そして、さらに、それぞれが１ミリ秒の長さである１０個のサブフレームへと分割される。各サブフレームは、０．５ミリ秒の２つのタイムスロットを含んでいる。図６に示されるように、１０個のサブフレームのサブフレーム番号は、順次０−９である。下り同期信号を送信するために使用されるサブフレームを決定した後で、基地局は、システムタイミングに基づいてサブフレームのサブフレーム番号を取得することができる。
【００５９】
一次同期信号は、通信システムのタイプにかかわらず、サブフレームにおける特定の位置に固定され得ることが理解されよう。もしくは、サブフレームにおける一次同期信号の位置は通信システムのタイプと関連しており、別の言葉で言えば、サブフレームにおける一次同期信号の位置は異なるタイプの通信システム間で異なっているが、通信システム内では固定されている。ここでは、この場合も、また、サブフレームにおける一次同期信号の位置が固定されていると考えることができる。例えば、時分割複信（ＴＤＤ）システムにおける一次同期信号の位置は、周波数分割複信システムにおける一次同期信号の位置とは異なってよい。代替的に、サブフレームにおける一次同期信号の位置は、また、フレキシブルにも設定される。
【００６０】
第１対応（first  correspondence）は事前設定されてよい。第１対応は、サブフレーム番号とサブフレームにおける二次同期信号の位置との間の対応関係を少なくとも含んでいる。第１対応は、サブフレーム番号とサブフレームにおける二次同期信号の位置との間の対応だけを含んでよい。代替的に、第１対応は、また、サブフレームにおける一次同期信号の位置と、サブフレームにおける二次同期信号の位置と、サブフレーム番号との間の対応であってもよい。
【００６１】
第１サブフレームのサブフレーム番号が決定された後で、第１サブフレームにおいて、一次同期信号および二次同期信号が送信される特定の位置（例えば、シンボル）が、第１対応およびサブフレーム番号に基づいて決定され得ることが理解されよう。
【００６２】
具体的には、各サブフレームにおける一次同期信号および二次同期信号の位置は、以下のようであり得る。サブフレームにおいて一次同期信号によって占有されるシンボルは固定されており、各セットにおけるサブフレームにおいて二次同期信号によって占有されるシンボルは異なっており、そして、サブフレームにおける一次同期信号と二次同期信号の位置設定は、異なるセットついて再利用され得る。この場合に、１つの無線フレームにおける全てのサブフレームは、１つまたはそれ以上のセットを含んでいるものと理解されてよい。ここにおけるセットは、サブフレームの分類またはグループ化の説明を容易にするために使用されており、そして、分割は必ずしも事前に実行される必要はない。
【００６３】
１つの無線フレームの中にはＮ個のサブフレームが存在し、Ｎ個のサブフレームはｍ個のセットを含み、Ｎおよびｍは自然数であり、Ｎはｍの整数倍であり、そして、各セットはＮ／ｍ個のサブフレームを含んでいると仮定されている。ｋ番目のセットのサブフレームのサブフレーム番号は、連続して（ｋ−１）＊Ｎ／ｍ、（ｋ−１）＊Ｎ／ｍ＋１、・・・、およびｋ＊Ｎ／ｍ−１であり、ここで、１≦ｋ≦ｍである。各サブフレームにおける一次同期信号および二次同期信号の位置は、具体的には、以下のようであり得る。無線フレームにおいて各サブフレームにおける一次同期信号の位置は固定されており、例えば、サブフレームにおける第１タイムスロット（timeslot）の最後のシンボルであってよく、そして、（ｋ−１）＊Ｎ／ｍからｋ＊Ｎ／ｍ−１までのサブフレーム番号を有するサブフレームにおける二次同期信号の位置は、相互に異なっている。
【００６４】
例えば、Ｎ＝１０かつｍ＝２である一つの例が使用される。図７に示されるように、一次同期信号は、各サブフレームにおける７番目のシンボル（シンボル番号６を伴うもの）において、常に送信されるように設定されてよい。そして、サブフレーム（subframe）０−４において二次同期信号によって占有されるシンボル（symbol）は、以下のとおりである。（ａ）サブフレーム０：６番目のシンボル（シンボル番号５を伴うもの）、（ｂ）サブフレーム１：５番目のシンボル（シンボル番号４を伴うもの）、（ｃ）サブフレーム２：４番目のシンボル（シンボル番号３を伴うもの）、（ｄ）サブフレーム３：３番目のシンボル（シンボル番号２を伴うもの）、および（ｅ）サブフレーム４：２番目のシンボル（シンボル番号１を伴うもの）である。サブフレーム５−９における一次同期信号と二次同期信号との位置関係は、順番にサブフレーム０−４におけるものと同じであり、図７においては示されていない。図７に示される一次同期信号と二次同期信号との間の位置関係については、以下のように理解することができる。サブフレームにおける一次同期信号の位置は固定されているので、サブフレーム番号とサブフレームにおける二次同期信号の位置との対応が事前設定されてよく、例えば、表１に示される対応であり、もしくは、サブフレーム番号と、サブフレームにおける一次同期信号の位置と、サブフレームにおける二次同期信号の位置との対応が事前設定されてよく、例えば、表２に示される対応である。
【表１】
2019518394.tif 000003
【表２】
2019518394.tif 000004
【００６５】
別の例は、Ｎ＝１０かつｍ＝１である。この場合、１０個のサブフレームは、１つのセットとして考えられる。図８に示されるように、一次同期信号は、各サブフレームにおける７番目のシンボル（シンボル番号６を伴うもの）において、常に送信されるように設定されてよい。そして、サブフレーム（subframe）０−１０において二次同期信号によって占有されるシンボル（symbol）は、以下のとおりである。（ａ）サブフレーム０：６番目のシンボル（シンボル番号５を伴うもの）、（ｂ）サブフレーム１：５番目のシンボル（シンボル番号４を伴うもの）、（ｃ）サブフレーム２：４番目のシンボル（シンボル番号３を伴うもの）、（ｄ）サブフレーム３：３番目のシンボル（シンボル番号２を伴うもの）、（ｅ）サブフレーム４：２番目のシンボル（シンボル番号１を伴うもの）、（ｆ）サブフレーム５：８番目のシンボル（シンボル番号７を伴うもの）、（ｇ）サブフレーム６：９番目のシンボル（シンボル番号８を伴うもの）、（ｈ）サブフレーム７：１０番目のシンボル（シンボル番号９を伴うもの）、（ｉ）サブフレーム８：１１番目のシンボル（シンボル番号１０を伴うもの）、および（ｊ）サブフレーム９：１２番目のシンボル（シンボル番号１１を伴うもの）である。サブフレームにおける一次同期信号と二次同期信号の場所について、図８に示されるように、対応する事前設定された第１対応は、サブフレームにおける二次同期信号の位置が異なることを除いて、表１または表２に示される対応と同様であり得る。
【００６６】
異なるタイプの通信システムについて、第１対応は異なってよいことが理解され得る。基地局は、通信システムのタイプに基づいて第１対応を決定してよい。さらに、基地局は、通信システムのタイプに関する情報を端末に対して送信してよく、または、通信システムのタイプに関する情報を端末に対して送信しなくてもよい。端末は、第１サブフレームにおける一次同期信号と二次同期信号との間の決定された位置関係、または、第１サブフレームにおける二次同期信号の位置に基づいて、通信システムのタイプを決定する。
【００６７】
図７および図８は、単なる実施例に過ぎないことに留意すべきである。本発明のこの実施形態においては、端末が、一次同期信号および二次同期信号を検出することができ、そして、対応するサブフレーム番号をさらに特定することができるならば、各サブフレームにおける一次同期信号が固定される場所、および、二次同期信号の特定の場所は限定されない。加えて、第１対応の表現形式は、本発明のこの実施形態においては限定されない。
【００６８】
さらに、ｍが１より大きい場合に、１つのセットにおいてサブフレームにおける二次同期信号の二次同期コードは同一である、しかし、異なるセットが異なる二次同期コードに対応してもよい。別の言葉で言えば、サブフレームにおける二次同期信号の二次同期コードはセットに対応しており、そして、セットは二次同期コードに対応している。例えば、Ｎ＝１０かつｍ＝２である場合に、サブフレーム０−４は、第１セットとして見なすことができ、サブフレーム５−９は、第２セットとして見なすことができる。サブフレーム０−４における二次同期信号は、第１二次同期コード（ＳＳＳ１）、例えば、ＬＴＥシステムにおいて定義されたサブフレーム０の二次同期コードと同様な二次同期コードと対応することができ、そして、サブフレーム５−９における二次同期信号は、第２二次同期コード、例えば、ＬＴＥシステムにおいて定義されたサブフレーム５の二次同期コードと同様な二次同期コードと対応することができる。ｍ＝１である場合に、全てのサブフレームにおける二次同期信号は、同じ二次同期コードを有することができる。そして、この場合には、そのセットは、二次同期コードに対応していること、もしくは、サブフレームの各部分における二次同期信号は、二次同期コードに対応していることも、また、理解されよう。１つの無線フレームにおける全てのサブフレームが分割される部分の数は、二次同期コードの量に基づいて決定されてよく、または、別のルールに従って決定されてよい。このことは、本発明のこの実施形態において限定されない。ｍ＞１であるかｍ＝１であるかにかかわらず、前述のプロセスにおいて、サブフレームが配置されるセット、または、サブフレームが属する部分は、サブフレーム番号に基づいて決定され得る。従って、基地局は、サブフレーム番号に基づいて、対応する二次同期コードを決定することができる。
【００６９】
３０３：基地局は、第１サブフレームにおける一次同期信号および二次同期信号の決定された位置に基づいて、下り同期信号を第１サブフレームにおいて、端末に対して送信する。
【００７０】
基地局は、第１サブフレームにおける一次同期信号および二次同期信号の位置に基づいて、下り同期信号を第１サブフレームにおいて、端末に対して送信し得る。
【００７１】
基地局によって端末に対して送信されるデータは、下り同期信号の他にも別の信号を、さらに、含み得ることが理解されよう。例えば、物理ブロードキャストチャネル（physical  broadcast  channel、略してＰＢＣＨ）上で搬送される信号、システム情報ブロック（system  information  block、略してＳＩＢ）、または、物理ダウンリンク共有チャネル（physical  downlink  shared  channel、略してＰＤＳＣＨ）上で搬送される信号、である。本実施のこの実施形態において、一次同期信号および二次同期信号以外の送信方法（例えば、どのシンボルが占有されているか）および信号のコンテンツは限定されない。例えば、既存のプロトコルを参照のこと。
【００７２】
さらに、基地局は、キャリアプリエンプションステータス（carrier  preemption  status）に基づいて、共通信号（common  signaling）が送信される方法を決定し得る。例えば、キャリアプリエンプションが比較的に容易（easy）であるとき、ＰＳＳ／ＳＳＳおよび共通信号は、異なるサブフレームにおいて送信されてよい。そして、キャリアプリエンプションが難しい（difficult）とき、ＰＳＳ／ＳＳＳおよび共通信号は、一緒にパケット化されて、１つのサブフレームにおいて送信されてよい。共通信号は、これらに限定されるわけではないが、ＰＢＣＨおよびＳＩＢを含んでいる。
【００７３】
具体的には、キャリアプリエンプションが容易であるか難しいかは、複数の方法で判断することができる。例えば、Ｔ個の同期ウィンドウにおいて同期信号を送信するためにキャリアを成功裡にプリエンプションする確率について、統計が収集され得る。確率が事前設定された閾値よりも大きい場合に、キャリアプリエンプションは、比較的に容易であると考えられ得る。確率が事前設定された閾値より小さい場合に、キャリアプリエンプションは、比較的に難しいものと考えられ得る。Ｔは、１より大きい自然数であり、そして、Ｔおよび事前設定された閾値は、実際の要求に基づいて設定されてよい。このことは、本発明のこの実施形態において限定されない。
【００７４】
本発明のこの実施形態において、基地局側では、ＰＳＳ／ＳＳＳ間の位置関係またはサブフレームにおけるＳＳＳの位置に基づいて、異なるサブフレーム番号が暗黙的に示される。従って、追加のリソースを占有することなく、端末は、比較的に便利で、かつ、容易な方法で、同期信号が配置されている第１サブフレームのサブフレーム番号を取得することができ、そして、それによって、下り同期を実施することができる。
【００７５】
３０４：端末は、基地局からデータを受信し、ここで、そのデータは一次同期信号および二次同期信号を含んでいる。
【００７６】
基地局によって送信され、端末によって受信された、データは、無許諾周波数帯域を使用して送信されてよく、または、許諾周波数帯域を使用して送信されてよい。
【００７７】
本発明のこの実施形態におけるデータは、一般化された概念であり、サービスデータを含んでよく、または、非サービスデータ（non-service  data）、例えば、同期信号、制御信号、およびシステムブロードキャスト情報を含んでよいことが理解されよう。
【００７８】
３０５：端末は、一次同期信号および二次同期信号を検出することによって、第１サブフレームにおけるＳＳＳの位置情報を取得する。
【００７９】
ＰＳＳおよびＳＳＳの検出は、当業者がよく知っている複数の技術的アプローチを使用することによって実行され得る。本発明のこの実施形態において、詳細は説明されない。ＰＳＳおよびＳＳＳの検出を通じて、第１サブフレームにおけるＳＳＳの位置情報が学習され得る。位置情報は、第１サブフレームにおけるＳＳＳの位置、または、第１サブフレームにおけるＰＳＳとＳＳＳとの間の位置関係であってよい。例えば、シンボルにおいてＳＳＳがＰＳＳの前にあり、または、シンボルにおいてＳＳＳがＰＳＳの後ろにある。各位置関係は、また、ＰＳＳおよびＳＳＳのパターンとして言及され得ることが理解されよう。
【００８０】
第１サブフレームにおけるＳＳＳの位置情報および第１対応を参照して、同期信号を送信するために使用されるサブフレームのサブフレーム番号が決定され、そして、フレームタイミングが、さらに実施され得る。
【００８１】
異なるサブフレームにおけるＰＳＳとＳＳＳの位置、および、第１対応の説明については、前述の実施形態を参照のこと。そして、詳細は、ここにおいて再度説明されない。
【００８２】
３０６：端末は、第１サブフレームにおけるＳＳＳの位置情報および第１対応に基づいて、第１サブフレームのサブフレーム番号を決定する。
【００８３】
第１対応に基づいて、端末は、各サブフレームにおけるＳＳＳの位置、または、ＰＳＳとＳＳＳとの間の位置関係を学習することができる。次いで、３０５で獲得された、少なくとも第１サブフレームにおけるＳＳＳの位置情報を参照して、端末は、第１サブフレームのサブフレーム番号を決定することができる。
【００８４】
例えば、第１サブフレームにおけるＳＳＳの位置、または、第１サブフレームにおけるＰＳＳとＳＳＳとの間の位置関係を学習した後で、端末は、異なるケース（cases）について異なる方法で第１サブフレームのサブフレーム番号を決定することができる。例えば、ｍ＝１であるケースについては、サブフレームにおけるＰＳＳおよびＳＳＳの位置関係、または、サブフレームにおけるＳＳＳの位置が相互に異なるので、第１対応を参照して、かつ、第１サブフレームにおけるＰＳＳとＳＳＳとの間の位置関係、または、第１サブフレームにおけるＳＳＳの位置に基づいて、一意的（unique）なサブフレーム番号が決定され得る。ｍ＞１であるケースについては、第１対応、および、検出された二次同期コードを参照して、一意的なサブフレーム番号が、第１サブフレームにおけるＰＳＳとＳＳＳとの間の位置関係、または、第１サブフレームにおけるＳＳＳの位置に基づいて、決定され得る。サブフレーム番号が決定されると、フレームタイミングが実施されたものと見なされてよい。
【００８５】
以下に、図７および図８を参照して説明を提供する。
【００８６】
図７が、一つの実施例として使用される。ＳＳＳがＰＳＳの２シンボル前にあるシンボル内にあることが検出された場合には、次いで、第１サブフレームにおけるＳＳＳの位置情報を獲得することができ、ＳＳＳはシンボル４内に存在するか、または、ＳＳＳはＰＰＳの２つ前のシンボル内に存在する。次いで、図７、表１、または表２に基づいて、下り同期信号はサブフレーム１またはサブフレーム６において送信されることが学習され得る。ＳＳＳの二次同期コードが第１の二次同期コードであることが検出された場合には、下り同期信号がサブフレームにおいて送信されていることが一意的に決定され得る。ＳＳＳの二次同期コードが第２の二次同期コードであることが検出された場合には、下り同期信号がサブフレーム６において送信されていることが一意的に決定され得る。
【００８７】
図８が、一つの実施例として使用される。ＳＳＳがＰＳＳの３シンボル後にあるシンボル内にあることが検出された場合には、同様に、図８に基づいて、下り同期信号がサブフレーム７において送信されていることが学習され得る。
【００８８】
さらに、異なるタイプの通信システムについて、第１対応は異なってよい。このことは、また、サブフレームにおけるＳＳＳの位置設定またはサブフレームにおけるＳＳＳとＰＳＳとの間の位置関係の設定が、異なるタイプの通信システムにおいて異なっていることも意味している。端末は、さらに、第１サブフレームにおけるＰＳＳとＳＳＳとの間の決定された位置関係、または、第１サブフレームにおけるＳＳＳの決定された位置に基づいて、通信システムのタイプを決定することができる。
【００８９】
本発明のこの実施形態において提供される通信方法に従って、異なるサブフレームは、サブフレームにおけるＰＳＳ／ＳＳＳ間の位置関係、または、サブフレームにおけるＳＳＳの位置に基づいて区別される。これは、暗黙的な指示方法である。このようにして、検出メカニズムにおいて、端末が基地局機能を有する装置と同期できないという問題は、効果的に解決され、そして、追加的なリソースが占有される必要がない。
【００９０】
本発明のさらに別の実施態様は、通信方法を提供する。図９に示されるように、本通信方法は、以下のステップを含んでいる。
【００９１】
９０１：基地局は、検出を通じて、キャリアがアイドルであると判断する。
【００９２】
このステップにおいて、許諾または無許諾周波数帯域において基地局がキャリア状態を検出する方法については、３０１における関連した説明を参照のこと。
【００９３】
９０２：基地局は、アイドルキャリア上でデータを送信する。ここで、データは、サービスデータおよび同期信号を含み、同期信号は、サービスデータの前のシンボルにおいて送信され、サービスデータは同期信号の後に密接に続いており、そして、サービスデータのスタートサブフレーム（start  subframe）は無線フレームの第１サブフレームである。
【００９４】
このステップにおける同期信号は、端末による検出を促進するため、および、端末と基地局との間の同期を実施するための信号である。同期信号の具体的な形態は、例えば、現在のプロトコルにおけるＰＳＳおよびＳＳＳのうち少なくとも１つであってよい。このことは、本発明のこの実施形態において限定されない。
【００９５】
キャリアがアイドルであることを検出すると、基地局は、データを送信するためにキャリアをプリエンプションし、そして、サービスデータ（バースト）の前に同期信号を追加する。同期信号は、無線フレームのスタートポイントを識別するために使用されており、そして、同期信号の後に密接に続いているサブフレームが、無線フレームの第１サブフレーム、例えば、サブフレーム０、として定義される。他のサブフレームのサブフレーム番号は、類推によって推定され得る。例えば、図１０は、同期信号とバーストとの間の位置関係を示している。
【００９６】
本発明のこの実施形態において、基地局側では、バースト送信に基づいて、無線フレームのスタートポイントが再定義される(re-defined)。具体的には、バーストに基づいて、サブフレーム番号が再定義され、そして、各バーストの前に同期信号が付加される。そうして、端末は、フレームタイミング、すなわち、下り同期を比較的容易に実施することができる。
【００９７】
９０３：端末は、基地局から前述のデータを受信する。
【００９８】
９０４：端末は、同期信号の検出を実行し、そして、同期信号の後に密接に続くサブフレームを無線フレームの第１サブフレームとして決定する。
【００９９】
前述のプロセスにおいて、端末は、受信データについて同期信号の検出を実行する。同期信号が検出されると、フレーム境界が見つけられ、そして、フレームタイミング、すなわち下り同期、が実施される。下り同期方法のアルゴリズムは簡潔である。
【０１００】
本発明において提供される前述の実施形態では、本発明の実施形態において提供される通信方法が、各ネットワーク要素およびネットワーク要素間の相互作用の観点とは別に説明されている。前述の機能を実施するために、各ネットワーク要素、例えば、端末または基地局は、機能を実行するための対応するハードウェア構造、及び／又は、ソフトウェアモジュールを含むことが理解されよう。当業者であれば、この明細書において開示される実施形態を参照して説明される実施例におけるユニットおよびアルゴリズムのステップが、本発明におけるハードウェアまたはハードウェアとコンピュータソフトウェアとの組み合わせによって実施され得ることを容易に分かるだろう。機能が、ハードウェアによって実行されるか、または、ハードウェアを駆動するコンピュータソフトウェアによって実行されるかは、特定のアプリケーションおよび技術的ソリューションのデザイン制約条件に依存する。当業者であれば、各特定のアプリケーションについて説明された機能を実施する異なる方法を使用することができるが、その実施が本発明の範囲を超えるものと考えられるべきではない。
【０１０１】
図１１は、前述の実施形態における基地局の可能な模式的な構造図である。基地局は、図１において示される基地局であってよい。
【０１０２】
基地局は、プロセッサ１１０１および送信機１１０２を含んでいる。プロセッサ１１０１は、制御を実行し、または、端末または別のネットワークデバイスと通信するために使用される様々な機能をプロセスするように構成され得る。送信機１１０２は、前述の実施形態における基地局と端末との間の通信をサポートするように構成され得る。下り（downlink）において、サービスデータおよび信号メッセージ（signaling  message）は、プロセッサ１１０１によって処理され、そして、下り信号（downlink  signal）を生成するために送信機１１０２によって変調される。下り信号は、アンテナを使用して端末に対して送信される。送信機１１０２およびプロセッサ１１０１は、さらに、図３で示される実施形態における基地局の実行プロセス、及び／又は、発明の実施形態で説明される技術の別のプロセスを実行するように構成され得る。例えば、プロセッサ１１０１は、キャリアがアイドルであることを検出すると、下り同期信号を送信するために使用される第１サブフレームを決定するように構成されており、ここで、下り同期信号は、一次同期信号および二次同期信号を含んでいる。そして、第１サブフレームにおける一次同期信号および二次同期信号の位置を決定するように構成されており、ここで、二次同期信号の位置は、第１サブフレームのサブフレーム番号および第１対応に基づいて決定される。そして、第１対応は、サブフレーム番号およびサブフレームにおける二次同期信号の位置との間の対応を含んでいる。そして、送信機１１０２は、プロセッサ１１０１によって決定された、第１サブフレームにおける一次同期信号および二次同期信号の位置に基づいて、一次同期信号および二次同期信号を第１サブフレームにおいて端末に対して送信するように構成されている。任意的に、プロセッサ１１０１は、さらに、通信システムのタイプに基づいて、第１対応を決定するように構成されてよい。任意的に、プロセッサ１１０１は、特に、無許諾スペクトルリソースのキャリアがアイドルであることを検出したとき、無許諾スペクトルリソース上で、下り同期信号を送信するために使用される第１サブフレームを決定するように構成される。任意的に、送信機１１０２は、さらに、端末に対して共通信号を送信するように構成されてよい。
【０１０３】
代替的に、送信機１１０２およびプロセッサ１１０１は、さらに、図９で示される実施形態における基地局の実行プロセス、及び／又は、本発明の実施形態において説明される技術の別のプロセスを実行するように構成され得る。例えば、プロセッサ１１０１は、検出を通じて、キャリアがアイドルであることを決定するように構成されている。そして、送信機１１０２は、アイドルのキャリア上でデータを送信するように構成されており、ここで、データは、サービスデータおよび同期信号を含んでいる。同期信号は、サービスデータの前のシンボルにおいて送信され、サービスデータは、同期信号の後に密接して続いており、そして、サービスデータのスタートサブフレームは、無線フレームの第１サブフレームである。
【０１０４】
加えて、基地局は、さらに、メモリ１１０３を含んでよい。メモリ１１０３は、プログラムコードおよび基地局のデータを保管するように構成され得る。図１１は、単に基地局の簡素化されたデザイン示していることが理解されよう。実際のアプリケーションにおいて、基地局は、任意の数量の送信機、プロセッサ、メモリ、等を含んでいる。本発明の実施形態を実施することができる全ての基地局は、本発明の保護範囲内に入るものである。
【０１０５】
基地局における各モジュール／ユニットの特定の実行プロセスおよび方法については、関連の実施形態における説明についてさらに参照することができる。
【０１０６】
プロセッサおよび送信機は、それぞれ、１つまたはそれ以上のハードウェアモジュールによって実施されてよく、または、１つまたはそれ以上のソフトウェアモジュールによって実施されてよいことが理解されよう。プロセッサは、また、処理装置であってもよく、送信機は、また、送信装置であってもよく、そして、メモリは、また、記憶装置であってもよい。
【０１０７】
図１２は、前述の実施形態における端末の可能なデザイン構造の簡素化された模式的な図である。端末は、図１に示されるＵＥのうちの１つであってよい。端末は、受信機１２０１およびプロセッサ１２０２を含んでいる。
【０１０８】
下りにおいて、受信機１２０１は、アンテナを使用して受信した信号を調整し（例えば、フィルタリング、増幅、ダウンコンバージョン、およびデジタル化を実行）、そして、入力サンプルを提供する。プロセッサ１２０２は、端末における管理および制御といった、様々な処理関連の機能を実行するように構成されている。受信機１２０１およびプロセッサ１２０２は、さらに、図３における端末の実行プロセスの実行、及び／又は、本発明の実施形態において説明される技術の別のプロセスを実施するように構成され得る。例えば、受信機１２０１は、基地局からデータを受信するように構成されており、ここで、データは、一次同期信号および二次同期信号を含んでいる。そして、プロセッサ１２０２は、一次同期信号および二次同期信号を検出することによって、第１サブフレームにおける二次同期信号の位置情報を取得するように、かつ、第１サブフレームにおける二次同期信号の位置情報および第１対応に基づいて、第１のサブフレームのサブフレーム番号を決定するように構成されている。ここで、第１対応は、サブフレーム番号とサブフレームにおける二次同期信号の位置との間の対応関係を含んでいる。任意的に、プロセッサ１２０２は、具体的には、第１サブフレームにおける二次同期信号の位置および第１対応に基づいて、第１サブフレームのサブフレーム番号を決定するように構成され、もしくは、第１サブフレームにおける一次同期信号と二次同期信号との間の位置関係、サブフレーム番号とサブフレームにおける一次同期信号の位置との間の対応、および、サブフレーム番号とサブフレームにおける二次同期信号の位置との間の対応に基づいて、第１サブフレームのサブフレーム番号を決定するように構成されている。任意的に、プロセッサ１２０２は、さらに、第１サブフレームにおける一次同期信号と二次同期信号との間の位置関係、または、第１サブフレームにおける二次同期信号の位置に基づいて、通信システムのタイプを決定するように構成され得る。任意的に、プロセッサ１２０２は、さらに、第１サブフレームにおける二次同期信号の位置情報、第１対応、および、二次同期コードに基づいて、第１サブフレームのサブフレーム番号を決定するように構成され得る。
【０１０９】
代替的に、受信機１２０１およびプロセッサ１２０２は、さらに、図９に示される実施形態における端末の実行プロセス、及び／又は、本発明の実施形態において説明される技術の別のプロセスを実行するように構成され得る。例えば、受信機１２０１は、基地局からデータを受信するように構成されている。ここで、データは、サービスデータおよび同期信号を含んでいる。同期信号は、サービスデータの前のシンボルにおいて送信され、サービスデータは、同期信号の後に密接して続いており、そして、サービスデータのスタートサブフレームは、無線フレームの第１サブフレームである。そして、プロセッサ１２０２は、同期信号の検出を実行し、そして、同期信号の後に密接して続くサブフレームを無線フレームの第１サブフレームとして決定するように構成されている。
【０１１０】
加えて、端末は、さらに、メモリ１２０３を含み得ることが理解されよう。メモリ１２０３は、プログラムコードおよび端末のデータを保管するように構成され得る。
【０１１１】
具体的に、プロセッサ１２０２は、少なくとも１つの相関器（correlator）を使用してＰＳＳおよびＳＳＳの検出を実行し得る。相関器は、また、プロセッサの一部としても見なすことができる。
【０１１２】
端末における各モジュール／ユニットの特定の実行プロセスおよび方法については、関連の実施形態における説明に対してさらに参照することができることが理解されよう。
【０１１３】
プロセッサおよび受信機は、それぞれ、１つまたはそれ以上のハードウェアモジュールによって実施されてよく、または、１つまたはそれ以上のソフトウェアモジュールによって実施されてよいことが理解されよう。プロセッサは、また、処理装置であってもよく、送信機は、また、送信装置であってもよく、そして、メモリは、また、記憶装置であってもよい。
【０１１４】
本発明の実施形態において、前述の基地局および端末を実施するように構成されたプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、トランジスタロジックデバイス、ハードウェアコンポーネント、または、それらの任意の組み合わせであってよいことに留意すべきである。プロセッサは、本発明において開示されるコンテンツを参照して説明された、様々な例示の論理ブロック、モジュール、および回路を実装または実行することができる。代替的に、プロセッサは、計算機能を実施するプロセッサの組み合わせ、例えば、１つまたはそれ以上のマイクロプロセッサの組み合わせ、または、ＤＳＰとマイクロプロセッサとの組み合わせであってよい。
【０１１５】
本発明において開示されるコンテンツを参照して説明された方法またはアルゴリズムのステップは、ハードウェアによって実施されてよく、または、プロセッサによりソフトウェアインストラクションを実行することによって実施されてよい。ソフトウェアインストラクションは、対応するソフトウェアモジュールによって形成され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または、当技術分野において知られたあらゆる他の形態の記憶媒体において保管され得る。例えば、記憶媒体がプロセッサに結合され、そうして、プロセッサは、記憶媒体から情報を読み取り、または、記憶媒体へ情報を書き込むことができる。もちろん、記憶媒体は、プロセッサのコンポーネントであってよい。プロセッサおよび記憶媒体は、ＡＳＩＣの中に配置され得る。さらに、ＡＳＩＣは、ユーザ機器の中に配置され得る。もちろん、プロセッサおよび記憶媒体は、別個のコンポーネントとしてユーザ機器の中に存在し得る。
【０１１６】
当業者であれば、前述の１つまたはそれ以上の実施例では、本発明において説明される機能が、ハードウェア、ソフトウェア、ファームウェア、または、それらの任意の組み合わせによって実施され得ることが理解されるべきである。本発明がソフトウェアによって実施される場合に、前述の機能は、コンピュータ可読媒体において保管され、または、コンピュータ可読媒体における１つまたはそれ以上のインストラクションまたはコードとして送信され得る。コンピュータ可読媒体は、コンピュータ記憶媒体および通信媒体を含み、ここで、通信媒体（communications  medium）は、コンピュータプログラムがある場所から別の場所へ転送できるようにする任意の媒体を含む。記憶媒体は、汎用または専用コンピュータに対してアクセスできる任意の利用可能な媒体であってよい。
【０１１７】
本発明の目的、技術的ソリューション、および利点は、さらに、前述の特定の実装形態において詳細に説明されている。前述の説明は、単に本発明の特定の実施形態に過ぎないものであるが、本発明の保護範囲を限定するように意図されたものではないことが理解されるべきである。本発明の技術的ソリューションに基づいて成された、あらゆる修正、均等物の置換、または改良は、本発明の保護範囲内に入るものである。
【図１】
2019518394.tif 000005
【図２】
2019518394.tif 000006
【図３】
2019518394.tif 000007
【図４】
2019518394.tif 000008
【図５】
2019518394.tif 000009
【図６】
2019518394.tif 000010
【図７】
2019518394.tif 000011
【図８】
2019518394.tif 000012
【図９】
2019518394.tif 000013
【図１０】
2019518394.tif 000014
【図１１】
2019518394.tif 000015
【図１２】
2019518394.tif 000016
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
通信方法であって、
キャリアがアイドルであることを検出したときに、基地局によって、下り同期信号を送信するための第１サブフレームを決定するステップであり、前記下り同期信号は、一次同期信号および二次同期信号を含んでいる、ステップと、
前記基地局によって、前記第１サブフレームにおける前記一次同期信号および前記二次同期信号の位置を決定するステップであり、前記二次同期信号の位置は、前記第１サブフレームのサブフレーム番号および第１対応に基づいて決定され、かつ、該第１対応は、サブフレーム番号とサブフレームにおける二次同期信号の位置との間の対応を含む、ステップと、
前記基地局によって、前記第１サブフレームにおける前記一次同期信号および前記二次同期信号の決定された位置に基づいて、前記第１サブフレームにおいて、端末に対して前記下り同期信号を送信するステップと、
を含む、方法。
【請求項２】
前記第１対応は、通信システムのタイプと関連付けされており、かつ、
前記方法は、さらに、
前記基地局によって、前記通信システムのタイプに基づいて、前記第１対応を決定するステップ、
を含む、請求項１に記載の方法。
【請求項３】
１つの無線フレームにおける全てのサブフレームは、少なくとも１つのセットを含み、かつ、各セットにおいてサブフレームにおける二次同期信号の位置は異なっている、
請求項１または２に記載の方法。
【請求項４】
各サブフレームにおける前記一次同期信号の場所は、固定されている、
請求項１乃至３いずれか一項に記載の方法。
【請求項５】
前記第１対応は、さらに、サブフレーム番号とサブフレームにおける一次同期信号との間の対応を含む、
請求項１乃至４いずれか一項に記載の方法。
【請求項６】
キャリアがアイドルであることを検出したときに、基地局によって、下り同期信号を送信するための第１サブフレームを決定する前記ステップは、
無許諾スペクトルリソースのキャリアがアイドルであることを検出したときに、基地局によって、前記無許諾スペクトルリソースにおいて、下り同期信号を送信するために使用される第１サブフレームを決定するステップ、を含む、
請求項１乃至５いずれか一項に記載の方法。
【請求項７】
通信方法であって、
端末によって、基地局から一次同期信号および二次同期信号を受信するステップと、
前記一次同期信号および前記二次同期信号を検出することにより、前記端末によって、第１サブフレームにおける前記二次同期信号の位置情報を取得するステップと、
前記第１サブフレームにおける前記二次同期信号の前記位置情報および第１対応に基づいて、前記端末によって、前記第１サブフレームのサブフレーム番号を決定するステップと、
を含む、方法。
【請求項８】
１つの無線フレームにおける全てのサブフレームは、少なくとも１つのセットを含み、かつ、
各セットにおいてサブフレームにおける二次同期信号の位置が異なっている、
請求項７に記載の方法。
【請求項９】
各セットにおいてサブフレームにおける二次同期信号の位置が異なっていることは、
（ｋ−１）＊Ｎ／ｍからｋ＊Ｎ／ｍ−１までのサブフレーム番号を有するサブフレームにおける二次同期信号の位置が、相互に異なっており、
前記１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである、
請求項８に記載の方法。
【請求項１０】
各サブフレームにおける前記一次同期信号の位置は、固定されている、
請求項７乃至９いずれか一項に記載の方法。
【請求項１１】
前記第１対応は、さらに、サブフレーム番号とサブフレームにおける一次同期信号の位置との間の対応を含む、
請求項７乃至１０いずれか一項に記載の方法。
【請求項１２】
前記第１サブフレームにおける前記二次同期信号の前記位置情報および第１対応に基づいて、前記端末によって、前記第１サブフレームのサブフレーム番号を決定するステップは、
前記第１サブフレームにおける前記一次同期信号と前記二次同期信号との間の位置関係、サブフレームにおけるサブフレーム番号と一次同期信号の位置との間の対応、および、サブフレームにおけるサブフレーム番号と二次同期信号の位置との間の対応に基づいて、前記端末によって、前記第１サブフレームの前記サブフレーム番号を決定するステップ、を含む、
請求項１１に記載の方法。
【請求項１３】
前記方法は、さらに、
前記第１サブフレームにおける前記一次同期信号と前記二次同期信号との間の位置関係、または、前記第１サブフレームにおける前記二次同期信号の位置に基づいて、前記端末によって、通信システムのタイプを決定するステップ、
を含む、請求項７乃至１２いずれか一項に記載の方法。
【請求項１４】
請求項１乃至６いずれか一項に記載の前記方法を実施するように構成されている、基地局。
【請求項１５】
請求項７乃至１３いずれか一項に記載の前記方法を実施するように構成されている、端末。
【請求項１６】
プログラムが記録されている、コンピュータで読取り可能な記憶媒体であって、
前記プログラムは、請求項１乃至６いずれか一項に記載の前記方法を装置に実行させる、
コンピュータで読取り可能な記憶媒体。
【請求項１７】
プログラムが記録されている、コンピュータで読取り可能な記憶媒体であって、
前記プログラムは、請求項７乃至１３いずれか一項に記載の前記方法を装置に実行させる、
コンピュータで読取り可能な記憶媒体。
【手続補正２】
【補正対象書類名】明細書
【補正対象項目名】全文
【補正方法】変更
【補正の内容】
【発明の詳細な説明】
【技術分野】
【０００１】
本発明は、無線通信技術に関する。そして、特には、通信方法および装置に関する。
【背景技術】
【０００２】
スペクトルは無線通信の基礎である。米国連邦通信委員会（Federal  Communications  Commission、略してＦＣＣ）によってリリースされた最新の国際スペクトル白書に従って、無償許諾（licensing-free）または無許諾（unlicensed）のスペクトルリソースは、承認または許諾（licensed）されたスペクトルリソースより多い。無線通信システムおよびオペレータによる無許諾スペクトルリソースの使用に対する制約は存在しない。従って、複数の通信システムの複数の事業者が同じスペクトルを占有したい場合が存在する。無許諾スペクトルリソースの使用について異なる無線通信システムのための公平性を実現するために、いくつかの地域においては、無許諾スペクトルリソースを使用する場合に、無線通信装置は特定の規則に従う必要がある。例えば、欧州通信規格協会（European  Telecommunications  Standards  Institute、略してＥＴＳＩ）によってリリースされたETSI  EN  301  893におけるリスンビフォアトーク（listen  before  talk、略してＬＢＴ）またはチャネル帯域幅占有要件といったメカニズムである。ETSI  EN  301  893の規定に従って、無線通信装置は、無許諾スペクトルリソースを占有する場合にＬＢＴメカニズムを使用する必要がある。具体的には、チャネルを使用する前に、装置は、最初にチャネルがアイドル又は使用可能であるか否かをモニタし、そして、チャネルがアイドル又は使用可能である場合に、装置は無許諾スペクトルリソースを使用することができる。
【０００３】
技術の発展と共に、無許諾スペクトルリソースについて、ＬＢＴメカニズムの導入は、一次同期信号（primary  synchronization  signal、ＰＳＳ）および二次同期信号（secondary  synchronization  signal、ＳＳＳ）といった信号が、固定された絶対時間において端末に対する基地局機能を有している装置から送信され得ないという結果を生じる。その結果として、下り同期（downlink  synchronization）が影響を受け、そして、端末が、基地局機能を有している装置と同期できなくなる。
【発明の概要】
【０００４】
この出願は、通信方法および装置を説明する。
【０００５】
一つの態様に従って、この出願申請の一つの実施形態は、通信方法を提供する。本通信方法は、キャリアがアイドルであることを検出したときに、基地局によって、下り同期信号を送信するための第１サブフレームを決定するステップであり、ここで、下り同期信号は、一次同期信号および二次同期信号を含んでいる、ステップと、基地局によって、第１サブフレームにおける一次同期信号および二次同期信号の位置を決定するステップであり、ここで、二次同期信号の位置は、第１サブフレームのサブフレーム番号および第１対応に基づいて決定される、ステップと、基地局によって、第１サブフレームにおける一次同期信号および二次同期信号の決定された位置に基づいて、第１サブフレームにおいて、端末に対して下り同期信号を送信するステップであり、ここで、第１対応は、サブフレーム番号とサブフレームにおける二次同期信号の位置との間の対応を含む、ステップと、を含む。この実施形態で提供されるソリューションを使用して、基地局は、サブフレーム番号および第１対応に基づいて、下り同期信号を送信する。従って、端末は、同期信号を検出することにより、そして、比較的便利で容易な方法で、同期信号が配置されているサブフレームのサブフレーム番号を取得することができ、そして、それによって下り同期を実施することができる。
【０００６】
一つの可能なデザインにおいて、第１対応は、通信システムのタイプと関連付けされている。
【０００７】
一つの可能なデザインにおいて、１つの無線フレームにおける全てのサブフレームは、少なくとも１つのセットを含み、かつ、各セットにおいてサブフレームにおける二次同期信号の位置が異なっている。
【０００８】
一つの可能なデザインにおいて、（ｋ−１）＊Ｎ／ｍからｋ＊Ｎ／ｍ−１までのサブフレーム番号を有するサブフレームにおける二次同期信号の位置が相互に異なっており、ここで、１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである。
【０００９】
一つの可能なデザインにおいて、サブフレームにおける一次同期信号の場所は、固定されている。具体的に、サブフレームにおける一次同期信号の位置は、１つの通信システムにおいて固定されているが、異なる通信システム間では変わり得る。
【００１０】
一つの可能なデザインにおいて、一次同期信号は、サブフレームにおける第１タイムスロットの最後のシンボルを占有する。このようにして、プロトコルに対する変更を最小化するために、既存のプロトコルのＰＳＳ送信方式が使用され得る。
【００１１】
一つの可能なデザインにおいて、ｍ＞１であり、１つのセットにおいてサブフレームにおける二次同期信号の二次同期コードは同一であり、そして、異なるセットは、異なる二次同期コードに対応している。例えば、ｍ＝２である。この場合には、二次同期コードの現在のデザイン方式を最大化された方法で引き継ぐことができ、そして、同期信号パターンのデザイン複雑度も、また、低減され得る。
【００１２】
一つの可能なデザインにおいて、共通信号（common  signaling）が送信される方法は、キャリアプリエンプションステータス（carrier  preemption  status）に基づいて決定され得る。例えば、キャリアプリエンプションが比較的に容易（easy）であるとき、ＰＳＳ／ＳＳＳおよび共通信号は、異なるサブフレームにおいて送信されてよい。そして、キャリアプリエンプションが難しい（difficult）とき、ＰＳＳ／ＳＳＳおよび共通信号は、一緒にパケット化されて、１つのサブフレームにおいて送信されてよい。共通信号は、これらに限定されるわけではないが、ＰＢＣＨおよびＳＩＢを含んでいる。このようにして、信号は、よりフレキシブルな方法で送信され得る。
【００１３】
具体的に、キャリアプリエンプションが容易であるか難しいかは、複数の方法で判断することができる。例えば、Ｔ個の同期ウィンドウにおいて同期信号を送信するためにキャリアを成功裡にプリエンプションする確率について、統計が収集され得る。確率が事前設定された閾値よりも大きい場合に、キャリアプリエンプションは、比較的に容易であると考えられてよい。確率が事前設定された閾値より小さい場合に、キャリアプリエンプションは、比較的に難しいものと考えられてよい。
【００１４】
一つの可能なデザインにおいて、前述のスキームは、無許諾周波数帯域に対して、特には、無承諾のスタンドアロンシナリオに対して適用され得る。
【００１５】
別の態様に従って、この出願申請の一つの実施態様は、通信方法を提供する。本通信方法は、基地局から、端末によって、データを受信するステップであり、ここで、データは、一次同期信号および二次同期信号である、ステップと、一次同期信号および二次同期信号を検出することにより、端末によって、第１サブフレームにおける二次同期信号の位置情報を取得するステップと、第１サブフレームにおける二次同期信号の位置情報および第１対応に基づいて、第１サブフレームのサブフレーム番号を決定するステップであり、ここで、第１対応は、サブフレーム番号とサブフレームにおける二次同期信号の位置との間の対応を含む、ステップと、を含む。前述の方法に従って、異なるサブフレームは、サブフレームにおけるＰＳＳ／ＳＳＳ間の位置関係、または、サブフレームにおけるＳＳＳの位置に基づいて区別される。これは、暗黙的な指示方法である。このようにして、検出メカニズムにおいて、端末が基地局機能を有する装置と同期できないという問題は、効果的に解決され、そして、追加的なリソースが占有される必要はない。
【００１６】
一つの可能なデザインにおいて、端末は、第１サブフレームにおける一次同期信号と二次同期信号との間の位置情報および第１対応に基づいて、第１サブフレームのサブフレーム番号を決定する。
【００１７】
一つの可能なデザインにおいて、端末は、第１サブフレームにおける二次同期信号の位置情報および第１対応に基づいて、第１サブフレームのサブフレーム番号を決定する。
【００１８】
一つの可能なデザインにおいて、１つの無線フレームにおける全てのサブフレームは、少なくとも１つのセットを含み、かつ、各セットにおいてサブフレームにおける二次同期信号の位置が異なっている。
【００１９】
一つの可能なデザインにおいて、（ｋ−１）＊Ｎ／ｍからｋ＊Ｎ／ｍ−１までのサブフレーム番号を有するサブフレームにおける二次同期信号の位置が相互に異なっており、ここで、１つの無線フレームの中にはＮ個のサブフレームが存在し、Ｎ個のサブフレームはｍ個のセットを含み、Ｎおよびｍは自然数であり、Ｎはｍの整数倍であり、かつ、１≦ｋ≦ｍである。
【００２０】
一つの可能なデザインにおいて、サブフレームにおける一次同期信号の場所は、固定されている。具体的に、サブフレームにおける一次同期信号の位置は、１つの通信システムにおいて固定されているが、異なる通信システム間では変わり得る。
【００２１】
一つの可能なデザインにおいて、第１サブフレームにおける二次同期信号の位置情報は、第１サブフレームにおける二次同期信号の位置、または、第１サブフレームにおける一次同期信号と二次同期信号との間の位置関係を含む。
【００２２】
一つの可能なデザインにおいて、前述のスキームは、無許諾周波数帯域に対して、特には、無承諾のスタンドアロンシナリオに対して適用され得る。
【００２３】
一つの可能なデザインにおいて、第１対応は、さらに、サブフレーム番号とサブフレームにおける一次同期信号の位置との間の対応を含む。
【００２４】
一つの可能なデザインにおいて、端末は、第１サブフレームにおける一次同期信号と二次同期信号との間の位置関係、サブフレーム番号とサブフレームにおける一次同期信号の位置との間の対応、および、サブフレーム番号とサブフレームにおける二次同期信号の位置との間の対応に基づいて、第１サブフレームのサブフレーム番号を決定する。
【００２５】
一つの可能なデザインにおいて、端末は、第１サブフレームにおける一次同期信号と二次同期信号との間の位置関係、または、第１サブフレームにおける二次同期信号の位置に基づいて、通信システムのタイプを決定する。
【００２６】
別の態様に従って、本発明の一つの実施態様は、通信方法を提供する。本方法は、検出を通じて基地局によって、アイドルであるキャリアを検出するステップと、基地局によって、アイドルキャリア上でデータを送信するステップと、を含む。ここで、データは、サービスデータおよび同期信号を含み、同期信号は、サービスデータの前のシンボルにおいて送信され、サービスデータは同期信号の後に密接に続いており、そして、サービスデータのスタートサブフレーム（start  subframe）は無線フレームの第１サブフレームである。上述の方法に従って、地局側では、バースト送信に基づいて、無線フレームのスタートポイントが再定義される(re-defined)。具体的には、バーストに基づいて、サブフレーム番号が再定義され、そして、各バーストの前に同期信号が付加される。そうして、端末は、フレームタイミング、すなわち、下り同期を比較的容易に実施することができる。
【００２７】
別の態様に従って、本発明の一つの実施態様は、通信方法を提供する。本方法は、端末によって、基地局によって送信されたデータを受信するステップと、端末によって、同期信号を検出するステップと、同期信号の後に密接に続くサブフレームを無線フレームの第１サブフレームとして決定するステップと、を含む。前述のプロセスにおいて、端末は、受信データについて同期信号の検出を実行する。同期信号が検出されると、フレーム境界が見つけられ、そして、フレームタイミング、すなわち下り同期、が実施される。下り同期方法のアルゴリズムは簡潔である。
【００２８】
別の態様に従って、本発明の一つの実施態様は、基地局を提供する。本基地局は、上述の方法デザインにおける基地局の振る舞いを実行する機能を有している。機能は、ハードウェアによって実施されてよく、または、ハードウェアにより対応するソフトウェアを実行することによって実施されてよい。ハードウェアまたはソフトウェアは、前述の機能に対応している１つまたはそれ以上のモジュールを含む。
【００２９】
一つの可能なデザインにおいて、基地局は、プロセッサおよび送信機を含む。プロセッサは、前述の方法における対応する機能を実行する際に基地局をサポートするように構成されている。送信機は、基地局と端末との間の通信をサポートし、かつ、前述の方法における情報またはインストラクションを端末に対して送信するように構成されている。基地局は、さらに、メモリを含んでよい。メモリは、プロセッサに対して結合されるように構成されており、かつ、基地局のために必要なプログラムインストラクションおよびデータを保管する。
【００３０】
別の態様に従って、本発明の一つの実施態様は、端末を提供する。本端末は、前述の方法デザインにおける端末の振る舞いを実行する機能を有している。機能は、ハードウェアによって実施されてよい。端末は、受信機およびプロセッサを含む。代替的に、機能は、ハードウェアにより対応するソフトウェアを実行することによって実施されてよい。ハードウェアまたはソフトウェアは、前述の機能に対応する１つまたはそれ以上のモジュールを含む。モジュールは、ソフトウェア及び／又はハードウェアであり得る。
【００３１】
別の態様に従って、本発明の一つの実施態様は、通信システムを提供する。本システムは、前述の態様における基地局および端末を含む。
【００３２】
さらに別の態様に従って、本発明の一つの実施態様は、コンピュータ記憶媒体を提供する。前述の基地局によって使用されるコンピュータのソフトウェアインストラクションを保管するように構成されているものである。
【００３３】
さらに別の態様に従って、本発明の一つの実施態様は、コンピュータ記憶媒体を提供する。前述の端末によって使用されるコンピュータのソフトウェアインストラクションを保管するように構成されているものである。コンピュータのソフトウェアインストラクションは、前述の態様を実行するためにデザインされたプログラムを含んでいる。
【図面の簡単な説明】
【００３４】
本発明の実施形態をより明確に説明するために、以下では、実施形態を説明するために必要な添付図面を簡単に説明する。明らかに、以下の説明における添付の図面は、本発明のいくつかの実施形態を示すだけであり、そして、当業者は、創造的な努力なしにこれらの添付の図面から他の図面を導き出すことができる。
【図１】図１は、本発明の一つの実施形態に従った、通信システムの構成の概略図である。
【図２】図２は、本発明の一つの実施形態に従った、通信システムがスタンドアロン方式で無許諾周波数帯域において動作するシナリオの概略図である。
【図３】図３は、本発明の一つの実施形態に従った、通信方法の模式的なフローチャートである。
【図４】図４は、本発明の一つの実施形態に従った、ＣＣＡプロセスの概略図である。
【図５】図５は、本発明の一つの実施形態に従った、同期信号送信のための、同期ウィンドウを使用することによる、プリエンプションの概略図である。
【図６】図６は、本発明の一つの実施形態に従った、無線フレーム（radio  frame）の模式的な構造図である。
【図７】図７は、本発明の一つの実施形態に従った、一次同期信号および二次同期信号のシンボル位置に係る概略図である。
【図８】図８は、本発明の一つの実施形態に従った、一次同期信号および二次同期信号のシンボル位置に係る別の概略図である。
【図９】図９は、本発明の別の実施形態に従った、通信方法の模式的なフローチャートである。
【図１０】図１０は、本発明の一つの実施形態に従った、同期信号とサービスデータとの間の位置関係の概略図である。
【図１１】図１１は、本発明の一つの実施形態に従った、基地局の模式的な構造図である。
【図１２】図１２は、本発明の一つの実施形態に従った、端末の模式的な構造図である。
【発明を実施するための形態】
【００３５】
以下に、本発明の実施形態における添付の図面を参照して、本発明の実施形態における技術的ソリューションを明確に説明する。
【００３６】
図１は、本発明の実施形態における技術的ソリューションを使用することができる無線通信システムの概略図である。
【００３７】
この実施形態におけるソリューションにおいて、図１の通信システムは、少なくとも１つの基地局（基地局、ＢＳ）および複数の端末を含んでいる。
【００３８】
通信システムは、様々な無線アクセス技術（radio  access  technology、ＲＡＴ）システムであってよい。例えば、符号分割多元接続（code  division  multiple  access、ＣＤＭＡ）システム、時分割多元接続（time  division  multiple  access、ＴＤＭＡ）システム、周波数分割多元接続（frequency  division  multiple  access、ＦＤＭＡ）システム、直交周波数分割多元接続（orthogonal  frequency  division  multiple  access、ＯＦＤＭＡ）システム、シングルキャリア周波数分割多元接続（single  carrier  FDMA、ＳＣ−ＦＤＭＡ）システム、または別のシステムである。用語「システム（”system”）」および「ネットワーク（”network”）」は、相互に交換されてよい。ＯＦＤＭＡシステムは、進化型ユニバーサル地上無線アクセス（evolved  UTRA、Ｅ−ＵＴＲＡ）、ウルトラモバイルブロードバンド（Ultra  Mobile  Broadband、ＵＭＢ）、IEEE  802.11（Ｗｉ−Ｆｉ）、IEEE  802.16（ＷｉＭＡＸ）、IEEE  802.20、またはフラッシュＯＦＤＭＡといった無線技術を実装することができる。加えて、通信システムは、また、将来性ある（future-proofed）通信技術に対しても適用することができる。新たな通信技術を使用する通信システムが、この出願の背景技術において言及された下り同期問題と同様なシナリオに直面しているという条件で、本発明の実施形態において提供される技術的ソリューションが適用可能である。本発明の実施形態において説明されるシステムアーキテクチャおよびサービスシナリオは、本発明の実施形態における技術的ソリューションをより明確に説明するように意図されたものであり、そして、本発明の実施形態において提供される技術的ソリューションについていかなる限定も構成しない。当業者であれば、ネットワークアーキテクチャの進化および新しいサービスシナリオの出現と共に、本発明の実施形態において提供される技術的ソリューションは、また、同様な技術的問題にも適用可能であることを理解するだろう。特定的に、本発明のこの実施形態における通信システムは、例えば、ロングタームエボリューション（Long  Term  Evolution、ＬＴＥ）システム、または、ＬＴＥに基づく様々な先進システムであってよい。
【００３９】
本発明のこの実施形態において言及される基地局は、端末に無線通信機能を提供するように構成された装置であり、そして、無線アクセスネットワークにおいて配置されている。基地局は、マクロ基地局、マイクロ基地局（スモールセルとしても参照されるもの）、中継局、アクセスポイント、等の様々な形態を含み得る。異なる無線アクセス技術を使用するシステムにおいては、基地局機能を有しているデバイスの名称が異なることがある。例えば、ＬＴＥシステムにおいて、基地局機能を有しているデバイスは、ｅｖｏｌｖｅｄ  ＮｏｄｅＢ（evolved  NodeB、ｅＮＢ、またはｅＮｏｄｅＢ）として参照される。説明を容易にするために、端末に無線通信機能を提供するように構成された前述の全ての装置は、本発明の全ての実施形態において集合的に基地局として参照されている。
【００４０】
本発明のこの実施形態における端末は、無線通信機能を有する様々な、ハンドヘルドデバイス、車載デバイス、ウェアラブルデバイス、およびコンピューティングデバイス、または、無線モデムに対して接続された別の処理装置を含み得る。端末は、また、移動局（mobile  station、略してＭＳ）、ユーザ機器、または端末機器として参照されてもよく、そして、加入者ユニット（subscriber  unit）、携帯電話、スマートフォン、無線データカード、パーソナルデジタルアシスタント（ＰＤＡ）コンピュータ、タブレットコンピュータ、ワイヤレスモデム、ハンドヘルドデバイス、ラップトップコンピュータ、コードレス電話または無線ローカルループ（wireless  local  loop、ＷＬＬ）局、マシンタイプコミュニケーション（machine  type  communication、ＭＴＣ）端末、等をさら含み得る。説明を容易にするために、本発明の全ての実施形態において、前述の全てのデバイスは、集合的に端末として参照されている。
【００４１】
図１に示される通信システムの中に含まれる端末の数およびタイプは、単に実施例に過ぎず、そして、本発明の実施形態はこれに限定されるものではないことに留意する。
【００４２】
前述の通信システムは、無許諾および許諾スペクトルリソースの両方を使用することができる。許諾（licensed）スペクトルリソースは、許諾された後にだけ使用することができる無線周波数帯である。無許諾（unlicensed）スペクトルリソースは、許諾されることなく使用できる無線周波数帯域である。多くの国においては、９００ＭＨｚ周波数帯域、２．４ＧＨｚ周波数帯域、および５ＧＨｚ周波数帯域のスペクトルが、無許諾使用のために割り当てられてきている。説明を容易にするために、以降では、無許諾スペクトルリソースは、簡潔に無許諾周波数帯域として参照され、そして、許諾スペクトルリソースは、簡潔に許諾周波数帯域として参照される。ここにおける無許諾周波数帯域の使用は、これらに限定されるわけではないが、通信システムが無許諾周波数帯域においてスタンドアロン方式（無許諾スタンドアロン）で動作するシナリオ、および、許諾支援（licensed-assisted）アクセスシナリオを含んでいる。
【００４３】
前述の通信システムが許諾周波数帯域を使用しているか、無許諾周波数帯域を使用しているかにかかわらず、キャリア（carrier）の状態が検出を通じて判断された後にデータを送信するか否かが判断されることを要するときには、固定の絶対時間において、ＰＳＳおよびＳＳＳといった信号が、基地局機能を有しているデバイスから端末へ送信されなくてよい。その結果として、下り同期が影響を受け、そして、端末は、基地局機能を有しているデバイスと同期することができない。この問題は、通信システムがスタンドアロン方法で無許諾周波数帯域において動作するシナリオにおいて特に顕著であることが理解されよう。通信システムがスタンドアロン方式で無許諾周波数帯域において動作するシナリオが、図２に示されている。このシナリオにおいて、基地局２０１は、無許諾周波数帯域の周波数Ｆ１において、双方向リンク２００を使用することによって端末２０２に対して通信信号を送信し、そして、双方向リンク２００を使用することによって端末２０２から通信信号を受信することができる。
【００４４】
本発明の一つの実施形態は、通信方法を提供する。本通信方法は、前述の技術的問題を解決するために、下り同期信号を送信する技術的ソリューションを提案している。
【００４５】
本発明のこの実施形態において言及される下り同期信号はＰＳＳおよびＳＳＳを含むことに留意すべきである。例えば、３ＧＰＰプロトコルにおいては、３つのＰＳＳシーケンスが定義されている。各ＰＳＳシーケンスは、セルの物理的グループ内識別情報（intra-group  identity）に対応している。ＳＳＳシーケンスは、２つの３１ビットバイナリシーケンスをインターリーブすることによって生成されたシーケンスである。生成されたシーケンスは、次いで、スクランブリングシーケンス（scrambling  sequence）によってスクランブルされる。スクランブルシーケンスは、一次同期信号のセクタ番号に依存している。２つの３１ビットのシーケンスを直列に接続したことによって得られるシーケンスにおいては、０番サブフレームと５番サブフレームにおけるシーケンスが異なっている。前述のＰＳＳシーケンスおよびＳＳＳシーケンスは、また、一次同期コードおよび二次同期コードとしても参照されてよい。ＰＳＳおよびＳＳＳの具体的な説明については、3GPP  TS  36.211および3GPP  TS  36.212における関連する説明をさらに参照すること。そして、本発明のこの実施形態において、詳細は説明されていない。しかしながら、本発明のこの実施形態において言及されるＰＳＳおよびＳＳＳは、現在のプロトコルにおいて規定されている形態に限定されるものではない。
【００４６】
具体的には、図３は、本発明の一つの実施形態に従った、通信方法の模式的なフローチャートである。
【００４７】
３０１：キャリアがアイドルであることを検出すると、基地局は、下り同期信号を送信するために使用される第１サブフレームを決定する。
【００４８】
本発明のこの実施形態においては、下り同期信号を送信するために使用される第１サブフレームを決定する前に、基地局は、最初に、無許諾周波数帯域または許諾周波数帯域におけるキャリアの状態を検出することが理解されるだろう。キャリアのステータスは、占有（occupied）またはアイドルである。
【００４９】
具体的には、キャリア状態検出は、クリアチャネル評価（clear  channel  assessment、略してＣＣＡ）の方法で実施され得る。図４は、大まかなＣＣＡプロセスを示している。データ送信が検出されるとき、キャリアは占有されていると見なされ、そして、データ送信が検出されないとき、キャリアはアイドルであると見なされる。前述したキャリアは、信号を送信するために使用される搬送波（carrier  wave）であり、そして、いくつかの通信システムにおいてはチャネルとしても参照され得ることに留意すべきである。
【００５０】
具体的には、検出は、複数のスキームを使用することによって実施され得る。例えば、以下のとおりである。
【００５１】
１．エネルギー検出：
具体的には、基地局がデータを送信する必要があるとき、基地局は、キャリアのエネルギーレベルを検出し得る。エネルギーが閾値を超えると判断する場合に、基地局は、キャリアは占有されていると見なし、そして、キャリア上でデータを送信することができない。逆に、エネルギーが閾値より低いと判断する場合に、基地局は、キャリアがアイドルであると見なし、そして、キャリア上でデータを送信することができる。
【００５２】
２．仮想キャリアモニタリング：
基地局は、送信フレームにおいてチャネル占有時間を示している。他のデバイスは、基地局のチャネル占有時間を学習した後でバックオフ（backs  off）する。例えば、各802.11無線フレームのフレームヘッダは、持続時間（Duration）フィールドを含み、フレームを送信するために必要とされる時間を示している。フレームを受信した後で、他の全てのサイトは、持続時間フィールドに基づいてネットワーク割り当てベクトル（network  allocation  vector、略してＮＡＶ）を更新する。他のサイトは、ＮＡＶが終了する前にはデータを送信しない。
【００５３】
キャリア状態の検出は、当業者がよく知っている複数の技術的アプローチを使用することによって実行され得ることに留意すべきである。このことは、本発明のこの実施形態において限定されない。
【００５４】
特定の時間において、無許諾または許諾周波数帯域が利用可能であると判断するとき、基地局は、下り同期信号を送信するために、無許諾または許諾周波数帯域を占有することができる。すなわち、無許諾または許諾周波数帯のサブフレームを使用することによって下り同期信号を送信する。
【００５５】
さらに、基地局に対するオーバーヘッドの節約、及び／又は、端末に対する電力の節約といった要因を考慮して、事前設定された時間長を有するウィンドウを使用することができ、下り同期信号を送信するために使用され、かつ、無許諾または許諾周波数帯におけるサブフレームを決定する。説明を容易にするために、事前設定された時間長を有するウィンドウは、同期ウィンドウとして参照され得る。同期ウィンドウの時間長は、実際の要求に基づいて設定されてよく、そして、例えば、１０ｍｓであってよい。加えて、同期ウィンドウは周期的であり得る。同期ウィンドウの期間は、実際の要件に基づいて設定されてよく、例えば、４０ｍｓであってよい。このことは、本発明のこの実施形態において限定されない。図５に示されるように、同期ウィンドウが到着したときに、基地局が、無許諾周波数帯域においてキャリアが利用可能であると判断する場合、基地局は、図５におけるＡによって示されるように、ウィンドウの任意のサブフレームにおいて同期信号を送信することができる。基地局が、キャリアは同期ウィンドウ全体の中でビジー（busy）であると判断する場合、図５におけるＢによって示されるように、下り同期信号を同期ウィンドウ内で送信することはできない。同期ウィンドウが到着したときに、基地局が、キャリアがビジー状態であることを見つけたが、同期ウィンドウにおける一つの位置において、キャリアがアイドルであることを見つけた場合、基地局は、図５のＣによって示されるように、任意のアイドルサブフレームにおいて下り同期信号を送信することができる。
【００５６】
前述の、最初にキャリア状態を検出し、そして、次いで、下り同期信号を送信するために使用される第１サブフレームを決定する方法は、ＬＢＴとして理解され得ることが理解されよう。
【００５７】
３０２：基地局は、第１サブフレームにおいて一次同期信号および二次同期信号の位置を決定する。
【００５８】
ＬＴＥシステムまたはＬＴＥに基づくアドバンスシステムにおいて、１無線フレーム（one  radio  frame）は１０ミリ秒の長さであり、そして、さらに、それぞれが１ミリ秒の長さである１０個のサブフレームへと分割される。各サブフレームは、０．５ミリ秒の２つのタイムスロットを含んでいる。図６に示されるように、１０個のサブフレームのサブフレーム番号は、順次０−９である。下り同期信号を送信するために使用されるサブフレームを決定した後で、基地局は、システムタイミングに基づいてサブフレームのサブフレーム番号を取得することができる。
【００５９】
一次同期信号は、通信システムのタイプにかかわらず、サブフレームにおける特定の位置に固定され得ることが理解されよう。もしくは、サブフレームにおける一次同期信号の位置は通信システムのタイプと関連しており、別の言葉で言えば、サブフレームにおける一次同期信号の位置は異なるタイプの通信システム間で異なっているが、通信システム内では固定されている。ここでは、この場合も、また、サブフレームにおける一次同期信号の位置が固定されていると考えることができる。例えば、時分割複信（ＴＤＤ）システムにおける一次同期信号の位置は、周波数分割複信システムにおける一次同期信号の位置とは異なってよい。代替的に、サブフレームにおける一次同期信号の位置は、また、フレキシブルにも設定される。
【００６０】
第１対応（first  correspondence）は事前設定されてよい。第１対応は、サブフレーム番号とサブフレームにおける二次同期信号の位置との間の対応関係を少なくとも含んでいる。第１対応は、サブフレーム番号とサブフレームにおける二次同期信号の位置との間の対応だけを含んでよい。代替的に、第１対応は、また、サブフレームにおける一次同期信号の位置と、サブフレームにおける二次同期信号の位置と、サブフレーム番号との間の対応であってもよい。
【００６１】
第１サブフレームのサブフレーム番号が決定された後で、第１サブフレームにおいて、一次同期信号および二次同期信号が送信される特定の位置（例えば、シンボル）が、第１対応およびサブフレーム番号に基づいて決定され得ることが理解されよう。
【００６２】
具体的には、各サブフレームにおける一次同期信号および二次同期信号の位置は、以下のようであり得る。サブフレームにおいて一次同期信号によって占有されるシンボルは固定されており、各セットにおけるサブフレームにおいて二次同期信号によって占有されるシンボルは異なっており、そして、サブフレームにおける一次同期信号と二次同期信号の位置設定は、異なるセットついて再利用され得る。この場合に、１つの無線フレームにおける全てのサブフレームは、１つまたはそれ以上のセットを含んでいるものと理解されてよい。ここにおけるセットは、サブフレームの分類またはグループ化の説明を容易にするために使用されており、そして、分割は必ずしも事前に実行される必要はない。
【００６３】
１つの無線フレームの中にはＮ個のサブフレームが存在し、Ｎ個のサブフレームはｍ個のセットを含み、Ｎおよびｍは自然数であり、Ｎはｍの整数倍であり、そして、各セットはＮ／ｍ個のサブフレームを含んでいると仮定されている。ｋ番目のセットのサブフレームのサブフレーム番号は、連続して（ｋ−１）＊Ｎ／ｍ、（ｋ−１）＊Ｎ／ｍ＋１、・・・、およびｋ＊Ｎ／ｍ−１であり、ここで、１≦ｋ≦ｍである。各サブフレームにおける一次同期信号および二次同期信号の位置は、具体的には、以下のようであり得る。無線フレームにおいて各サブフレームにおける一次同期信号の位置は固定されており、例えば、サブフレームにおける第１タイムスロット（timeslot）の最後のシンボルであってよく、そして、（ｋ−１）＊Ｎ／ｍからｋ＊Ｎ／ｍ−１までのサブフレーム番号を有するサブフレームにおける二次同期信号の位置は、相互に異なっている。
【００６４】
例えば、Ｎ＝１０かつｍ＝２である一つの例が使用される。図７に示されるように、一次同期信号は、各サブフレームにおける７番目のシンボル（シンボル番号６を伴うもの）において、常に送信されるように設定されてよい。そして、サブフレーム（subframe）０−４において二次同期信号によって占有されるシンボル（symbol）は、以下のとおりである。（ａ）サブフレーム０：６番目のシンボル（シンボル番号５を伴うもの）、（ｂ）サブフレーム１：５番目のシンボル（シンボル番号４を伴うもの）、（ｃ）サブフレーム２：４番目のシンボル（シンボル番号３を伴うもの）、（ｄ）サブフレーム３：３番目のシンボル（シンボル番号２を伴うもの）、および（ｅ）サブフレーム４：２番目のシンボル（シンボル番号１を伴うもの）である。サブフレーム５−９における一次同期信号と二次同期信号との位置関係は、順番にサブフレーム０−４におけるものと同じであり、図７においては示されていない。図７に示される一次同期信号と二次同期信号との間の位置関係については、以下のように理解することができる。サブフレームにおける一次同期信号の位置は固定されているので、サブフレーム番号とサブフレームにおける二次同期信号の位置との対応が事前設定されてよく、例えば、表１に示される対応であり、もしくは、サブフレーム番号と、サブフレームにおける一次同期信号の位置と、サブフレームにおける二次同期信号の位置との対応が事前設定されてよく、例えば、表２に示される対応である。
【表１】
2019518394.tif 000017
【表２】
2019518394.tif 000018
【００６５】
別の例は、Ｎ＝１０かつｍ＝１である。この場合、１０個のサブフレームは、１つのセットとして考えられる。図８に示されるように、一次同期信号は、各サブフレームにおける７番目のシンボル（シンボル番号６を伴うもの）において、常に送信されるように設定されてよい。そして、サブフレーム（subframe）０−９において二次同期信号によって占有されるシンボル（symbol）は、以下のとおりである。（ａ）サブフレーム０：６番目のシンボル（シンボル番号５を伴うもの）、（ｂ）サブフレーム１：５番目のシンボル（シンボル番号４を伴うもの）、（ｃ）サブフレーム２：４番目のシンボル（シンボル番号３を伴うもの）、（ｄ）サブフレーム３：３番目のシンボル（シンボル番号２を伴うもの）、（ｅ）サブフレーム４：２番目のシンボル（シンボル番号１を伴うもの）、（ｆ）サブフレーム５：８番目のシンボル（シンボル番号７を伴うもの）、（ｇ）サブフレーム６：９番目のシンボル（シンボル番号８を伴うもの）、（ｈ）サブフレーム７：１０番目のシンボル（シンボル番号９を伴うもの）、（ｉ）サブフレーム８：１１番目のシンボル（シンボル番号１０を伴うもの）、および（ｊ）サブフレーム９：１２番目のシンボル（シンボル番号１１を伴うもの）である。サブフレームにおける一次同期信号と二次同期信号の場所について、図８に示されるように、対応する事前設定された第１対応は、サブフレームにおける二次同期信号の位置が異なることを除いて、表１または表２に示される対応と同様であり得る。
【００６６】
異なるタイプの通信システムについて、第１対応は異なってよいことが理解され得る。基地局は、通信システムのタイプに基づいて第１対応を決定してよい。さらに、基地局は、通信システムのタイプに関する情報を端末に対して送信してよく、または、通信システムのタイプに関する情報を端末に対して送信しなくてもよい。端末は、第１サブフレームにおける一次同期信号と二次同期信号との間の決定された位置関係、または、第１サブフレームにおける二次同期信号の位置に基づいて、通信システムのタイプを決定する。
【００６７】
図７および図８は、単なる実施例に過ぎないことに留意すべきである。本発明のこの実施形態においては、端末が、一次同期信号および二次同期信号を検出することができ、そして、対応するサブフレーム番号をさらに特定することができるならば、各サブフレームにおける一次同期信号が固定される場所、および、二次同期信号の特定の場所は限定されない。加えて、第１対応の表現形式は、本発明のこの実施形態においては限定されない。
【００６８】
さらに、ｍが１より大きい場合に、１つのセットにおいてサブフレームにおける二次同期信号の二次同期コードは同一である、しかし、異なるセットが異なる二次同期コードに対応してもよい。別の言葉で言えば、サブフレームにおける二次同期信号の二次同期コードはセットに対応しており、そして、セットは二次同期コードに対応している。例えば、Ｎ＝１０かつｍ＝２である場合に、サブフレーム０−４は、第１セットとして見なすことができ、サブフレーム５−９は、第２セットとして見なすことができる。サブフレーム０−４における二次同期信号は、第１二次同期コード（ＳＳＳ１）、例えば、ＬＴＥシステムにおいて定義されたサブフレーム０の二次同期コードと同様な二次同期コードと対応することができ、そして、サブフレーム５−９における二次同期信号は、第２二次同期コード、例えば、ＬＴＥシステムにおいて定義されたサブフレーム５の二次同期コードと同様な二次同期コードと対応することができる。ｍ＝１である場合に、全てのサブフレームにおける二次同期信号は、同じ二次同期コードを有することができる。そして、この場合には、そのセットは、二次同期コードに対応していること、もしくは、サブフレームの各部分における二次同期信号は、二次同期コードに対応していることも、また、理解されよう。１つの無線フレームにおける全てのサブフレームが分割される部分の数は、二次同期コードの量に基づいて決定されてよく、または、別のルールに従って決定されてよい。このことは、本発明のこの実施形態において限定されない。ｍ＞１であるかｍ＝１であるかにかかわらず、前述のプロセスにおいて、サブフレームが配置されるセット、または、サブフレームが属する部分は、サブフレーム番号に基づいて決定され得る。従って、基地局は、サブフレーム番号に基づいて、対応する二次同期コードを決定することができる。
【００６９】
３０３：基地局は、第１サブフレームにおける一次同期信号および二次同期信号の決定された位置に基づいて、下り同期信号を第１サブフレームにおいて、端末に対して送信する。
【００７０】
基地局は、第１サブフレームにおける一次同期信号および二次同期信号の位置に基づいて、下り同期信号を第１サブフレームにおいて、端末に対して送信し得る。
【００７１】
基地局によって端末に対して送信されるデータは、下り同期信号の他にも別の信号を、さらに、含み得ることが理解されよう。例えば、物理ブロードキャストチャネル（physical  broadcast  channel、略してＰＢＣＨ）上で搬送される信号、システム情報ブロック（system  information  block、略してＳＩＢ）、または、物理ダウンリンク共有チャネル（physical  downlink  shared  channel、略してＰＤＳＣＨ）上で搬送される信号、である。本実施のこの実施形態において、一次同期信号および二次同期信号以外の送信方法（例えば、どのシンボルが占有されているか）および信号のコンテンツは限定されない。例えば、既存のプロトコルを参照のこと。
【００７２】
さらに、基地局は、キャリアプリエンプションステータス（carrier  preemption  status）に基づいて、共通信号（common  signaling）が送信される方法を決定し得る。例えば、キャリアプリエンプションが比較的に容易（easy）であるとき、ＰＳＳ／ＳＳＳおよび共通信号は、異なるサブフレームにおいて送信されてよい。そして、キャリアプリエンプションが難しい（difficult）とき、ＰＳＳ／ＳＳＳおよび共通信号は、一緒にパケット化されて、１つのサブフレームにおいて送信されてよい。共通信号は、これらに限定されるわけではないが、ＰＢＣＨおよびＳＩＢを含んでいる。
【００７３】
具体的には、キャリアプリエンプションが容易であるか難しいかは、複数の方法で判断することができる。例えば、Ｔ個の同期ウィンドウにおいて同期信号を送信するためにキャリアを成功裡にプリエンプションする確率について、統計が収集され得る。確率が事前設定された閾値よりも大きい場合に、キャリアプリエンプションは、比較的に容易であると考えられ得る。確率が事前設定された閾値より小さい場合に、キャリアプリエンプションは、比較的に難しいものと考えられ得る。Ｔは、１より大きい自然数であり、そして、Ｔおよび事前設定された閾値は、実際の要求に基づいて設定されてよい。このことは、本発明のこの実施形態において限定されない。
【００７４】
本発明のこの実施形態において、基地局側では、ＰＳＳ／ＳＳＳ間の位置関係またはサブフレームにおけるＳＳＳの位置に基づいて、異なるサブフレーム番号が暗黙的に示される。従って、追加のリソースを占有することなく、端末は、比較的に便利で、かつ、容易な方法で、同期信号が配置されている第１サブフレームのサブフレーム番号を取得することができ、そして、それによって、下り同期を実施することができる。
【００７５】
３０４：端末は、基地局からデータを受信し、ここで、そのデータは一次同期信号および二次同期信号を含んでいる。
【００７６】
基地局によって送信され、端末によって受信された、データは、無許諾周波数帯域を使用して送信されてよく、または、許諾周波数帯域を使用して送信されてよい。
【００７７】
本発明のこの実施形態におけるデータは、一般化された概念であり、サービスデータを含んでよく、または、非サービスデータ（non-service  data）、例えば、同期信号、制御信号、およびシステムブロードキャスト情報を含んでよいことが理解されよう。
【００７８】
３０５：端末は、一次同期信号および二次同期信号を検出することによって、第１サブフレームにおけるＳＳＳの位置情報を取得する。
【００７９】
ＰＳＳおよびＳＳＳの検出は、当業者がよく知っている複数の技術的アプローチを使用することによって実行され得る。本発明のこの実施形態において、詳細は説明されない。ＰＳＳおよびＳＳＳの検出を通じて、第１サブフレームにおけるＳＳＳの位置情報が学習され得る。位置情報は、第１サブフレームにおけるＳＳＳの位置、または、第１サブフレームにおけるＰＳＳとＳＳＳとの間の位置関係であってよい。例えば、シンボルにおいてＳＳＳがＰＳＳの前にあり、または、シンボルにおいてＳＳＳがＰＳＳの後ろにある。各位置関係は、また、ＰＳＳおよびＳＳＳのパターンとして言及され得ることが理解されよう。
【００８０】
第１サブフレームにおけるＳＳＳの位置情報および第１対応を参照して、同期信号を送信するために使用されるサブフレームのサブフレーム番号が決定され、そして、フレームタイミングが、さらに実施され得る。
【００８１】
異なるサブフレームにおけるＰＳＳとＳＳＳの位置、および、第１対応の説明については、前述の実施形態を参照のこと。そして、詳細は、ここにおいて再度説明されない。
【００８２】
３０６：端末は、第１サブフレームにおけるＳＳＳの位置情報および第１対応に基づいて、第１サブフレームのサブフレーム番号を決定する。
【００８３】
第１対応に基づいて、端末は、各サブフレームにおけるＳＳＳの位置、または、ＰＳＳとＳＳＳとの間の位置関係を学習することができる。次いで、３０５で獲得された、少なくとも第１サブフレームにおけるＳＳＳの位置情報を参照して、端末は、第１サブフレームのサブフレーム番号を決定することができる。
【００８４】
例えば、第１サブフレームにおけるＳＳＳの位置、または、第１サブフレームにおけるＰＳＳとＳＳＳとの間の位置関係を学習した後で、端末は、異なるケース（cases）について異なる方法で第１サブフレームのサブフレーム番号を決定することができる。例えば、ｍ＝１であるケースについては、サブフレームにおけるＰＳＳおよびＳＳＳの位置関係、または、サブフレームにおけるＳＳＳの位置が相互に異なるので、第１対応を参照して、かつ、第１サブフレームにおけるＰＳＳとＳＳＳとの間の位置関係、または、第１サブフレームにおけるＳＳＳの位置に基づいて、一意的（unique）なサブフレーム番号が決定され得る。ｍ＞１であるケースについては、第１対応、および、検出された二次同期コードを参照して、一意的なサブフレーム番号が、第１サブフレームにおけるＰＳＳとＳＳＳとの間の位置関係、または、第１サブフレームにおけるＳＳＳの位置に基づいて、決定され得る。サブフレーム番号が決定されると、フレームタイミングが実施されたものと見なされてよい。
【００８５】
以下に、図７および図８を参照して説明を提供する。
【００８６】
図７が、一つの実施例として使用される。ＳＳＳがＰＳＳの２シンボル前にあるシンボル内にあることが検出された場合には、次いで、第１サブフレームにおけるＳＳＳの位置情報を獲得することができ、ＳＳＳはシンボル４内に存在するか、または、ＳＳＳはＰＰＳの２つ前のシンボル内に存在する。次いで、図７、表１、または表２に基づいて、下り同期信号はサブフレーム１またはサブフレーム６において送信されることが学習され得る。ＳＳＳの二次同期コードが第１の二次同期コードであることが検出された場合には、下り同期信号がサブフレームにおいて送信されていることが一意的に決定され得る。ＳＳＳの二次同期コードが第２の二次同期コードであることが検出された場合には、下り同期信号がサブフレーム６において送信されていることが一意的に決定され得る。
【００８７】
図８が、一つの実施例として使用される。ＳＳＳがＰＳＳの３シンボル後にあるシンボル内にあることが検出された場合には、同様に、図８に基づいて、下り同期信号がサブフレーム７において送信されていることが学習され得る。
【００８８】
さらに、異なるタイプの通信システムについて、第１対応は異なってよい。このことは、また、サブフレームにおけるＳＳＳの位置設定またはサブフレームにおけるＳＳＳとＰＳＳとの間の位置関係の設定が、異なるタイプの通信システムにおいて異なっていることも意味している。端末は、さらに、第１サブフレームにおけるＰＳＳとＳＳＳとの間の決定された位置関係、または、第１サブフレームにおけるＳＳＳの決定された位置に基づいて、通信システムのタイプを決定することができる。
【００８９】
本発明のこの実施形態において提供される通信方法に従って、異なるサブフレームは、サブフレームにおけるＰＳＳ／ＳＳＳ間の位置関係、または、サブフレームにおけるＳＳＳの位置に基づいて区別される。これは、暗黙的な指示方法である。このようにして、検出メカニズムにおいて、端末が基地局機能を有する装置と同期できないという問題は、効果的に解決され、そして、追加的なリソースが占有される必要がない。
【００９０】
本発明のさらに別の実施態様は、通信方法を提供する。図９に示されるように、本通信方法は、以下のステップを含んでいる。
【００９１】
９０１：基地局は、検出を通じて、キャリアがアイドルであると判断する。
【００９２】
このステップにおいて、許諾または無許諾周波数帯域において基地局がキャリア状態を検出する方法については、３０１における関連した説明を参照のこと。
【００９３】
９０２：基地局は、アイドルキャリア上でデータを送信する。ここで、データは、サービスデータおよび同期信号を含み、同期信号は、サービスデータの前のシンボルにおいて送信され、サービスデータは同期信号の後に密接に続いており、そして、サービスデータのスタートサブフレーム（start  subframe）は無線フレームの第１サブフレームである。
【００９４】
このステップにおける同期信号は、端末による検出を促進するため、および、端末と基地局との間の同期を実施するための信号である。同期信号の具体的な形態は、例えば、現在のプロトコルにおけるＰＳＳおよびＳＳＳのうち少なくとも１つであってよい。このことは、本発明のこの実施形態において限定されない。
【００９５】
キャリアがアイドルであることを検出すると、基地局は、データを送信するためにキャリアをプリエンプションし、そして、サービスデータ（バースト）の前に同期信号を追加する。同期信号は、無線フレームのスタートポイントを識別するために使用されており、そして、同期信号の後に密接に続いているサブフレームが、無線フレームの第１サブフレーム、例えば、サブフレーム０、として定義される。他のサブフレームのサブフレーム番号は、類推によって推定され得る。例えば、図１０は、同期信号とバーストとの間の位置関係を示している。
【００９６】
本発明のこの実施形態において、基地局側では、バースト送信に基づいて、無線フレームのスタートポイントが再定義される(re-defined)。具体的には、バーストに基づいて、サブフレーム番号が再定義され、そして、各バーストの前に同期信号が付加される。そうして、端末は、フレームタイミング、すなわち、下り同期を比較的容易に実施することができる。
【００９７】
９０３：端末は、基地局から前述のデータを受信する。
【００９８】
９０４：端末は、同期信号の検出を実行し、そして、同期信号の後に密接に続くサブフレームを無線フレームの第１サブフレームとして決定する。
【００９９】
前述のプロセスにおいて、端末は、受信データについて同期信号の検出を実行する。同期信号が検出されると、フレーム境界が見つけられ、そして、フレームタイミング、すなわち下り同期、が実施される。下り同期方法のアルゴリズムは簡潔である。
【０１００】
本発明において提供される前述の実施形態では、本発明の実施形態において提供される通信方法が、各ネットワーク要素およびネットワーク要素間の相互作用の観点とは別に説明されている。前述の機能を実施するために、各ネットワーク要素、例えば、端末または基地局は、機能を実行するための対応するハードウェア構造、及び／又は、ソフトウェアモジュールを含むことが理解されよう。当業者であれば、この明細書において開示される実施形態を参照して説明される実施例におけるユニットおよびアルゴリズムのステップが、本発明におけるハードウェアまたはハードウェアとコンピュータソフトウェアとの組み合わせによって実施され得ることを容易に分かるだろう。機能が、ハードウェアによって実行されるか、または、ハードウェアを駆動するコンピュータソフトウェアによって実行されるかは、特定のアプリケーションおよび技術的ソリューションのデザイン制約条件に依存する。当業者であれば、各特定のアプリケーションについて説明された機能を実施する異なる方法を使用することができるが、その実施が本発明の範囲を超えるものと考えられるべきではない。
【０１０１】
図１１は、前述の実施形態における基地局の可能な模式的な構造図である。基地局は、図１において示される基地局であってよい。
【０１０２】
基地局は、プロセッサ１１０１および送信機１１０２を含んでいる。プロセッサ１１０１は、制御を実行し、または、端末または別のネットワークデバイスと通信するために使用される様々な機能をプロセスするように構成され得る。送信機１１０２は、前述の実施形態における基地局と端末との間の通信をサポートするように構成され得る。下り（downlink）において、サービスデータおよび信号メッセージ（signaling  message）は、プロセッサ１１０１によって処理され、そして、下り信号（downlink  signal）を生成するために送信機１１０２によって変調される。下り信号は、アンテナを使用して端末に対して送信される。送信機１１０２およびプロセッサ１１０１は、さらに、図３で示される実施形態における基地局の実行プロセス、及び／又は、発明の実施形態で説明される技術の別のプロセスを実行するように構成され得る。例えば、プロセッサ１１０１は、キャリアがアイドルであることを検出すると、下り同期信号を送信するために使用される第１サブフレームを決定するように構成されており、ここで、下り同期信号は、一次同期信号および二次同期信号を含んでいる。そして、第１サブフレームにおける一次同期信号および二次同期信号の位置を決定するように構成されており、ここで、二次同期信号の位置は、第１サブフレームのサブフレーム番号および第１対応に基づいて決定される。そして、第１対応は、サブフレーム番号およびサブフレームにおける二次同期信号の位置との間の対応を含んでいる。そして、送信機１１０２は、プロセッサ１１０１によって決定された、第１サブフレームにおける一次同期信号および二次同期信号の位置に基づいて、一次同期信号および二次同期信号を第１サブフレームにおいて端末に対して送信するように構成されている。任意的に、プロセッサ１１０１は、さらに、通信システムのタイプに基づいて、第１対応を決定するように構成されてよい。任意的に、プロセッサ１１０１は、特に、無許諾スペクトルリソースのキャリアがアイドルであることを検出したとき、無許諾スペクトルリソース上で、下り同期信号を送信するために使用される第１サブフレームを決定するように構成される。任意的に、送信機１１０２は、さらに、端末に対して共通信号を送信するように構成されてよい。
【０１０３】
代替的に、送信機１１０２およびプロセッサ１１０１は、さらに、図９で示される実施形態における基地局の実行プロセス、及び／又は、本発明の実施形態において説明される技術の別のプロセスを実行するように構成され得る。例えば、プロセッサ１１０１は、検出を通じて、キャリアがアイドルであることを決定するように構成されている。そして、送信機１１０２は、アイドルのキャリア上でデータを送信するように構成されており、ここで、データは、サービスデータおよび同期信号を含んでいる。同期信号は、サービスデータの前のシンボルにおいて送信され、サービスデータは、同期信号の後に密接して続いており、そして、サービスデータのスタートサブフレームは、無線フレームの第１サブフレームである。
【０１０４】
加えて、基地局は、さらに、メモリ１１０３を含んでよい。メモリ１１０３は、プログラムコードおよび基地局のデータを保管するように構成され得る。図１１は、単に基地局の簡素化されたデザイン示していることが理解されよう。実際のアプリケーションにおいて、基地局は、任意の数量の送信機、プロセッサ、メモリ、等を含んでいる。本発明の実施形態を実施することができる全ての基地局は、本発明の保護範囲内に入るものである。
【０１０５】
基地局における各モジュール／ユニットの特定の実行プロセスおよび方法については、関連の実施形態における説明についてさらに参照することができる。
【０１０６】
プロセッサおよび送信機は、それぞれ、１つまたはそれ以上のハードウェアモジュールによって実施されてよく、または、１つまたはそれ以上のソフトウェアモジュールによって実施されてよいことが理解されよう。プロセッサは、また、処理装置であってもよく、送信機は、また、送信装置であってもよく、そして、メモリは、また、記憶装置であってもよい。
【０１０７】
図１２は、前述の実施形態における端末の可能なデザイン構造の簡素化された模式的な図である。端末は、図１に示されるＵＥのうちの１つであってよい。端末は、受信機１２０１およびプロセッサ１２０２を含んでいる。
【０１０８】
下りにおいて、受信機１２０１は、アンテナを使用して受信した信号を調整し（例えば、フィルタリング、増幅、ダウンコンバージョン、およびデジタル化を実行）、そして、入力サンプルを提供する。プロセッサ１２０２は、端末における管理および制御といった、様々な処理関連の機能を実行するように構成されている。受信機１２０１およびプロセッサ１２０２は、さらに、図３で示された実施形態における端末の実行プロセスの実行、及び／又は、本発明の実施形態において説明される技術の別のプロセスを実施するように構成され得る。例えば、受信機１２０１は、基地局からデータを受信するように構成されており、ここで、データは、一次同期信号および二次同期信号を含んでいる。そして、プロセッサ１２０２は、一次同期信号および二次同期信号を検出することによって、第１サブフレームにおける二次同期信号の位置情報を取得するように、かつ、第１サブフレームにおける二次同期信号の位置情報および第１対応に基づいて、第１のサブフレームのサブフレーム番号を決定するように構成されている。ここで、第１対応は、サブフレーム番号とサブフレームにおける二次同期信号の位置との間の対応関係を含んでいる。任意的に、プロセッサ１２０２は、具体的には、第１サブフレームにおける二次同期信号の位置および第１対応に基づいて、第１サブフレームのサブフレーム番号を決定するように構成され、もしくは、第１サブフレームにおける一次同期信号と二次同期信号との間の位置関係、サブフレーム番号とサブフレームにおける一次同期信号の位置との間の対応、および、サブフレーム番号とサブフレームにおける二次同期信号の位置との間の対応に基づいて、第１サブフレームのサブフレーム番号を決定するように構成されている。任意的に、プロセッサ１２０２は、さらに、第１サブフレームにおける一次同期信号と二次同期信号との間の位置関係、または、第１サブフレームにおける二次同期信号の位置に基づいて、通信システムのタイプを決定するように構成され得る。任意的に、プロセッサ１２０２は、さらに、第１サブフレームにおける二次同期信号の位置情報、第１対応、および、二次同期コードに基づいて、第１サブフレームのサブフレーム番号を決定するように構成され得る。
【０１０９】
代替的に、受信機１２０１およびプロセッサ１２０２は、さらに、図９に示される実施形態における端末の実行プロセス、及び／又は、本発明の実施形態において説明される技術の別のプロセスを実行するように構成され得る。例えば、受信機１２０１は、基地局からデータを受信するように構成されている。ここで、データは、サービスデータおよび同期信号を含んでいる。同期信号は、サービスデータの前のシンボルにおいて送信され、サービスデータは、同期信号の後に密接して続いており、そして、サービスデータのスタートサブフレームは、無線フレームの第１サブフレームである。そして、プロセッサ１２０２は、同期信号の検出を実行し、そして、同期信号の後に密接して続くサブフレームを無線フレームの第１サブフレームとして決定するように構成されている。
【０１１０】
加えて、端末は、さらに、メモリ１２０３を含み得ることが理解されよう。メモリ１２０３は、プログラムコードおよび端末のデータを保管するように構成され得る。
【０１１１】
具体的に、プロセッサ１２０２は、少なくとも１つの相関器（correlator）を使用してＰＳＳおよびＳＳＳの検出を実行し得る。相関器は、また、プロセッサ１２０２の一部としても見なすことができる。
【０１１２】
端末における各モジュール／ユニットの特定の実行プロセスおよび方法については、関連の実施形態における説明に対してさらに参照することができることが理解されよう。
【０１１３】
プロセッサおよび受信機は、それぞれ、１つまたはそれ以上のハードウェアモジュールによって実施されてよく、または、１つまたはそれ以上のソフトウェアモジュールによって実施されてよいことが理解されよう。プロセッサは、また、処理装置であってもよく、送信機は、また、送信装置であってもよく、そして、メモリは、また、記憶装置であってもよい。
【０１１４】
本発明の実施形態において、前述の基地局および端末を実施するように構成されたプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、トランジスタロジックデバイス、ハードウェアコンポーネント、または、それらの任意の組み合わせであってよいことに留意すべきである。プロセッサは、本発明において開示されるコンテンツを参照して説明された、様々な例示の論理ブロック、モジュール、および回路を実装または実行することができる。代替的に、プロセッサは、計算機能を実施するプロセッサの組み合わせ、例えば、１つまたはそれ以上のマイクロプロセッサの組み合わせ、または、ＤＳＰとマイクロプロセッサとの組み合わせであってよい。
【０１１５】
本発明において開示されるコンテンツを参照して説明された方法またはアルゴリズムのステップは、ハードウェアによって実施されてよく、または、プロセッサによりソフトウェアインストラクションを実行することによって実施されてよい。ソフトウェアインストラクションは、対応するソフトウェアモジュールによって形成され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または、当技術分野において知られたあらゆる他の形態の記憶媒体において保管され得る。例えば、記憶媒体がプロセッサに結合され、そうして、プロセッサは、記憶媒体から情報を読み取り、または、記憶媒体へ情報を書き込むことができる。もちろん、記憶媒体は、プロセッサのコンポーネントであってよい。プロセッサおよび記憶媒体は、ＡＳＩＣの中に配置され得る。さらに、ＡＳＩＣは、ユーザ機器の中に配置され得る。もちろん、プロセッサおよび記憶媒体は、別個のコンポーネントとしてユーザ機器の中に存在し得る。
【０１１６】
当業者であれば、前述の１つまたはそれ以上の実施例では、本発明において説明される機能が、ハードウェア、ソフトウェア、ファームウェア、または、それらの任意の組み合わせによって実施され得ることが理解されるべきである。本発明がソフトウェアによって実施される場合に、前述の機能は、コンピュータ可読媒体において保管され、または、コンピュータ可読媒体における１つまたはそれ以上のインストラクションまたはコードとして送信され得る。コンピュータ可読媒体は、コンピュータ記憶媒体および通信媒体を含み、ここで、通信媒体（communications  medium）は、コンピュータプログラムがある場所から別の場所へ転送できるようにする任意の媒体を含む。記憶媒体は、汎用または専用コンピュータに対してアクセスできる任意の利用可能な媒体であってよい。
【０１１７】
本発明の目的、技術的ソリューション、および利点は、さらに、前述の特定の実装形態において詳細に説明されている。前述の説明は、単に本発明の特定の実施形態に過ぎないものであるが、本発明の保護範囲を限定するように意図されたものではないことが理解されるべきである。本発明の技術的ソリューションに基づいて成された、あらゆる修正、均等物の置換、または改良は、本発明の保護範囲内に入るものである。
【国際調査報告】
2019518394.tif 000019
2019518394.tif 000020
2019518394.tif 000021
2019518394.tif 000022